(57)【要約】【課題】医師が認知症患者の日常生活状況や排便状態の状態を把握することができる認知症患者観察システムを提供する。【解決手段】認知症患者観察システムを形成する第１携帯端末１３は、患者データおよび日常生活データの入力エリアを表示する入力表示手段と、入力された患者データおよび日常生活データを記憶するデータ第１記憶手段と、入力された患者データおよび日常生活データを第２携帯端末１４，１５に送信するデータ送信手段とを実行する。認知症患者観察システムを形成する第２携帯端末１４，１５は、患者データおよび日常生活データを受信するデータ受信手段と、受信した患者データおよび日常生活データを記憶するデータ第２記憶手段とを実行する。【選択図】図１
2008113720.tif 000002
【特許請求の範囲】
【請求項１】
無線通信ネットワークを利用して認知症患者の療養状況を観察する認知症患者観察システムにおいて、
前記観察システムが、前記認知症患者の世話を担当するヘルパーが所持する第１携帯端末と、前記第１携帯端末と無線通信可能であって、前記認知症患者を診断する医師と認知症の医薬品を製造する製薬会社の担当者との少なくとも一方が所持する第２携帯端末とから形成され、
前記第１携帯端末が、前記認知症患者に関する患者データの入力エリアを表示部に表示する患者データ入力表示手段と、前記認知症患者の日常生活データの入力エリアを表示部に表示する日常生活データ入力表示手段と、入力された患者データを記憶部に記憶する患者データ第１記憶手段と、入力された日常生活データを前記患者データに関連付けて記憶部に記憶する日常生活データ第１記憶手段と、入力された患者データを前記第２携帯端末に送信する患者データ送信手段と、入力された日常生活データを前記第２携帯端末に送信する日常生活データ送信手段とを有し、
前記第２携帯端末が、前記第１携帯端末から送信された患者データを受信する患者データ受信手段と、前記第１携帯端末から送信された日常生活データを受信する日常生活データ受信手段と、受信した患者データを記憶部に記憶する患者データ第２記憶手段と、受信した日常生活データを前記患者データに関連付けて記憶部に記憶する日常生活データ第２記憶手段とを有することを特徴とする認知症患者観察システム。
【請求項２】
前記第１携帯端末が、前記認知症患者の排便データの入力エリアを表示部に表示する排便データ入力表示手段と、入力された排便データを前記患者データに関連付けて記憶部に記憶する排便データ第１記憶手段と、入力された排便データを前記第２携帯端末に送信する排便データ送信手段とを有し、前記第２携帯端末が、前記第１携帯端末から送信された排便データを受信する排便データ受信手段と、受信した排便データを前記患者データに関連付けて記憶部に記憶する排便データ第２記憶手段とを有する請求項１記載の認知症患者観察システム。
【請求項３】
前記第１携帯端末と前記第２携帯端末とのうちの少なくとも一方が、記憶した患者データを過去に遡って表示部に表示する過去分患者データ表示手段と、記憶した日常生活データを過去に遡って表示部に表示する過去分日常生活データ表示手段と、記憶した排便データを過去に遡って表示部に表示する過去分排便データ表示手段とを有する請求項２記載の認知症患者観察システム。
【請求項４】
前記第１携帯端末と前記第２携帯端末とが、記憶した日常生活データをその記憶時から所定期間経過後に記憶部から消去する日常生活データ消去手段と、記憶した排便データをその記憶時から所定期間経過後に記憶部から消去する排便データ消去手段とを有する請求項２または請求項３に記載の認知症患者観察システム。
【請求項５】
前記第２携帯端末が、前記第１携帯端末に記憶された過去から現在までの日常生活データを該第１携帯端末から強制的に閲覧する日常生活データ強制閲覧手段と、前記第１携帯端末に記憶された過去から現在までの排便データを該第１携帯端末から強制的に閲覧する排便データ強制閲覧手段とを有する請求項２ないし請求項４いずれかに記載の認知症患者観察システム。
【請求項６】
前記第２携帯端末が、前記第１携帯端末に記憶された過去から現在までの日常生活データを該第１携帯端末に強制的に転送させる日常生活データ強制転送手段と、前記第１携帯端末に記憶された過去から現在までの排便データを該第１携帯端末に強制的に転送させる排便データ強制転送手段とを有する請求項２ないし請求項５いずれかに記載の認知症患者観察システム。
【請求項７】
前記患者データが、認知症患者の氏名、認知症患者を特定するＩＤ番号（患者識別番号）、医師によって認定された患者の症状の軽重、患者の連絡先郵便番号、患者の連絡先住所、患者の連絡先電話番号、患者データの格納日付である請求項１ないし請求項６いずれかに記載の認知症患者観察システム。
【請求項８】
前記日常生活データが、起床時間，就寝時間，朝食の有無，朝食時間，昼食の有無，昼食時間，夕食の有無，夕食時間，進み具合，食前血圧，食後血圧，投与薬剤の種類，薬剤投与の時間，体温，体温測定時間，健康状態である請求項１ないし請求項７いずれかに記載の認知症患者観察システム。
【請求項９】
前記排便データが、排便時間，排便量，排便硬さ，排便色である請求項２ないし請求項８いずれかに記載の認知症患者観察システム。
【発明の詳細な説明】
【技術分野】
【０００１】
本発明は、無線通信ネットワークを利用して認知症患者の療養状況を観察する認知症患者観察システムに関する。
【背景技術】
【０００２】
寝たきりの病人や老人の体調に関するデータを測定可能な測定器と、電波受信機が取り付けられて測定器からの電波を受信可能な電話機と、電話回線を介して電話機に接続された携帯電話機とから形成された遠隔モニターシステムがある（特許文献１参照）。測定器は、リストバンドに組み込まれ、病人や老人の体温および脈拍を測定する。携帯端末装置は、看護人が所持する。遠隔モニターシステムでは、測定器が測定した病人や老人の体温および脈拍が電波受信機に送信され、体温や脈拍が電話回線を介して看護人の携帯電話機に送信される。この遠隔モニターシステムは、看護人が携帯電話機を介して寝たきりの病人や老人の体温および脈拍を監視することができ、病人や老人の体温または脈拍が突然変化したとしても、その事態に即座に対処することができる。
【特許文献１】特開２００２−１７６９１号公報
【発明の開示】
【発明が解決しようとする課題】
【０００３】
前記公報に開示の遠隔モニターシステムは、病人や老人の体温および脈拍を常時監視することはできるが、病人や老人の日常生活に関するデータや排便に関するデータを収集することはできず、病人や老人の長期的な体調の変化を把握することが難しい。このシステムは、症状の時系列的な進行状況や治癒状況を判断することができないから、病人や老人の長期的な治療方針を決定することができない。
【０００４】
本発明の目的は、医師が認知症患者の日常生活状況や排便状態を把握することができ、患者の症状の時系列的な進行状況や治癒状況を把握することができる認知症患者観察システムを提供することにある。本発明の他の目的は、認知症の医薬品を製造する製薬会社の製薬の参考資料を提供することができる認知症患者観察システムを提供することにある。
【課題を解決するための手段】
【０００５】
前記課題を解決するための本発明の前提は、無線通信ネットワークを利用して認知症患者の療養状況を観察する認知症患者観察システムである。
【０００６】
前記前提における本発明の特徴は、認知症観察システムが、認知症患者の世話を担当するヘルパーが所持する第１携帯端末と、第１携帯端末と無線通信可能であって、認知症患者を診断する医師と認知症の医薬品を製造する製薬会社の担当者との少なくとも一方が所持する第２携帯端末とから形成され、第１携帯端末が、認知症患者に関する患者データの入力エリアを表示部に表示する患者データ入力表示手段と、認知症患者の日常生活データの入力エリアを表示部に表示する日常生活データ入力表示手段と、入力された患者データを記憶部に記憶する患者データ第１記憶手段と、入力された日常生活データを患者データに関連付けて記憶部に記憶する日常生活データ第１記憶手段と、入力された患者データを第２携帯端末に送信する患者データ送信手段と、入力された日常生活データを第２携帯端末に送信する日常生活データ送信手段とを有し、第２携帯端末が、第１携帯端末から送信された患者データを受信する患者データ受信手段と、第１携帯端末から送信された日常生活データを受信する日常生活データ受信手段と、受信した患者データを記憶部に記憶する患者データ第２記憶手段と、受信した日常生活データを患者データに関連付けて記憶部に記憶する日常生活データ第２記憶手段とを有することにある。
【０００７】
本発明の一例としては、第１携帯端末が、認知症患者の排便データの入力エリアを表示部に表示する排便データ入力表示手段と、入力された排便データを患者データに関連付けて記憶部に記憶する排便データ第１記憶手段と、入力された排便データを第２携帯端末に送信する排便データ送信手段とを有し、第２携帯端末が、第１携帯端末から送信された排便データを受信する排便データ受信手段と、受信した排便データを患者データに関連付けて記憶部に記憶する排便データ第２記憶手段とを有する。
【０００８】
本発明の他の一例としては、第１携帯端末と第２携帯端末とのうちの少なくとも一方が、記憶した患者データを過去に遡って表示部に表示する過去分患者データ表示手段と、記憶した日常生活データを過去に遡って表示部に表示する過去分日常生活データ表示手段と、記憶した排便データを過去に遡って表示部に表示する過去分排便データ表示手段とを有する。
【０００９】
本発明の他の一例としては、第１携帯端末と第２携帯端末とが、記憶した日常生活データをその記憶時から所定期間経過後に記憶部から消去する日常生活データ消去手段と、記憶した排便データをその記憶時から所定期間経過後に記憶部から消去する排便データ消去手段とを有する。
【００１０】
本発明の他の一例としては、第２携帯端末が、第１携帯端末に記憶された過去から現在までの日常生活データを該第１携帯端末から強制的に閲覧する日常生活データ強制閲覧手段と、第１携帯端末に記憶された過去から現在までの排便データを該第１携帯端末から強制的に閲覧する排便データ強制閲覧手段とを有する。
【００１１】
本発明の他の一例としては、第２携帯端末が、第１携帯端末に記憶された過去から現在までの日常生活データを該第１携帯端末に強制的に転送させる日常生活データ強制転送手段と、第１携帯端末に記憶された過去から現在までの排便データを該第１携帯端末に強制的に転送させる排便データ強制転送手段とを有する。
【００１２】
本発明の他の一例としては、患者データが、認知症患者の氏名、認知症患者を特定するＩＤ番号（患者識別番号）、医師によって認定された患者の症状の軽重、患者の連絡先郵便番号、患者の連絡先住所、患者の連絡先電話番号、患者データの格納日付である。
【００１３】
本発明の他の一例としては、日常生活データが、起床時間，就寝時間，朝食の有無，朝食時間，昼食の有無，昼食時間，夕食の有無，夕食時間，進み具合，食前血圧，食後血圧，投与薬剤の種類，薬剤投与の時間，体温，体温測定時間，健康状態である。
【００１４】
本発明の他の一例としては、排便データが、排便時間，排便量，排便硬さ，排便色である。
【発明の効果】
【００１５】
本発明に係る認知症患者観察システムによれば、ヘルパーが認知症患者に関する日常生活データを第１携帯端末に入力し、患者の日常生活データが第１携帯端末から第２携帯端末に送信されるから、患者の日常生活状況を調書や診断書等の書面に記載する手間を省くことができ、ヘルパーの負担を大幅に軽減させることができる。観察システムは、医師が第２携帯端末を介して認知症患者の日常生活データを参照することで、患者の日常生活状況を把握することができ、それによって患者の現在の容体を判断しつつ、患者の介護方針をヘルパーにリアルタイムに伝えることができる。観察システムは、医師が認知症患者の症状の時系列的な進行状況や治癒状況を把握することができ、医師が日常生活データに基づいて患者の長期的な治療方針を決定することができる。この観察システムは、製薬会社の担当者が第２携帯端末を介して認知症患者の日常生活状況を把握、分析することができ、日常生活データを認知症のあらたな医薬品開発の参考にすることができるから、製薬会社に認知症のあらたな医薬品開発の有益な資料を提供することができる。
【００１６】
入力された排便データを第１携帯端末が第２携帯端末に送信する認知症患者観察システムは、患者の排便状態を調書や診断書等の書面に記載する手間を省くことができ、ヘルパーの負担を大幅に軽減させることができる。観察システムは、医師が第２携帯端末を介して認知症患者の排便データを参照することで、患者の排便状態を把握することができ、それによって患者の現在の容体を判断しつつ、患者の介護方針をヘルパーにリアルタイムに伝えることができる。観察システムは、医師が認知症患者の症状の時系列的な進行状況や治癒状況を把握することができ、医師が排便データに基づいて患者の長期的な治療方針を決定することができる。この観察システムは、製薬会社の担当者が第２携帯端末を介して認知症患者の排便状態を把握、分析することができ、排便データを認知症のあらたな医薬品開発の参考にすることができるから、製薬会社に認知症のあらたな医薬品開発の有益な資料を提供することができる。
【００１７】
第１携帯端末と第２携帯端末との少なくとも一方がその記憶部に記憶した患者データや日常生活データ、排便データを過去に遡って表示部に表示する認知症患者観察システムは、医師が過去のいずれかの時点におけるそれらデータを再び確認することができ、過去のデータと現在のデータとを比較することで、患者の症状の時系列的な進行状況や治癒状況を確実に把握することができる。観察システムは、ヘルパーが過去のデータと現在のデータとを比較することで、患者の今後の介護方針を容易に決定することができる。この観察システムは、製薬会社の担当者が過去のデータと現在のデータとを比較分析することで、認知症のあらたな医薬品開発の参考にすることができるから、製薬会社に認知症のあらたな医薬品開発の有益な資料を提供することができる。
【００１８】
第１携帯端末と第２携帯端末とが、日常生活データや排便データをその記憶時から所定期間経過後に消去する認知症患者観察システムは、第１および第２携帯端末における記憶部の記憶容量を確保することができ、記憶部の記憶容量のオーバーフローを防ぐことができる。この観察システムは、それら携帯端末の記憶部の記憶容量がオーバーフローすることはなく、第１および第２携帯端末に認知症患者の各種データを確実に保持させることができる。
【００１９】
過去から現在までの日常生活データや排便データを第１携帯端末から強制的に閲覧することができる認知症患者観察システムは、医師が第２携帯端末によって認知症患者の日常生活データや排便データを何時でも閲覧することができるから、第１携帯端末から患者の日常生活データや排便データが送信されなくても、医師が患者の日常生活状況や排便状態を把握することができる。観察システムは、医師が第２携帯端末によって認知症患者の過去の日常生活データや排便データを何時でも閲覧することができるから、過去のデータと現在のデータとを比較することで、患者の症状の時系列的な進行状況や治癒状況を確実に把握することができる。この観察システムは、製薬会社の担当者が第２携帯端末によって認知症患者の過去から現在までの日常生活データや排便データを何時でも閲覧することができるから、製薬会社に認知症のあらたな医薬品開発の有益な資料を何時でも提供することができる。
【００２０】
第２携帯端末が過去から現在までの日常生活データや排便データを第１携帯端末に強制的に転送させる認知症患者観察システムは、医師が認知症患者の日常生活データや排便データを第１携帯端末から第２携帯端末に何時でも転送させることができるから、第１携帯端末から患者の日常生活データや排便データが送信されなくても、医師が患者の日常生活状況や排便状態を把握することができる。観察システムは、医師が認知症患者の過去の日常生活データや排便データを第１携帯端末から第２携帯端末に何時でも転送させることができるから、過去のデータと現在のデータとを比較することで、患者の症状の時系列的な進行状況や治癒状況を確実に把握することができる。この観察システムは、製薬会社の担当者が認知症患者の過去から現在までの日常生活データや排便データを第１携帯端末から第２携帯端末に何時でも転送させることができるから、製薬会社に認知症のあらたな医薬品開発の有益な資料を何時でも提供することができる。
【発明を実施するための最良の形態】
【００２１】
添付の図面を参照し、本発明に係る認知症患者観察システムの詳細を説明すると、以下のとおりである。図１は、一例として示す観察システム１０の概略構成図である。観察システム１０は、それを利用することで、医師に認知症患者１８の日常生活状況や排便状態を正確に把握させ、それによって患者１８の最適な治療方針を決定させるとともに、患者１８の最適な介護方針を介護者や保護者、付添人（以下、ヘルパーという）に指示させる。さらに、製薬会社に認知症患者１８の日常生活状況や排便状態を正確に把握させ、認知症に関する医薬品開発の際の有効な参考資料とさせる。また、この観察システム１０は、無線通信ネットワークを利用することで、認知症患者１８の現在位置を特定するとともに、患者１８の時系列的な移動経路を推定し、ヘルパーによる患者１８の適切かつ確実な保護を実現する。
【００２２】
認知症患者観察システム１０は、無線通信可能なエンドデバイス１１と、無線通信可能な複数のアクセスポイント１２と、複数のＰＨＳ携帯端末（Personal Handyphone System）１３，１４，１５とから形成されている。ＰＨＳ携帯端末１３（第１携帯端末）は、ヘルパーが所持し、ＰＨＳ携帯端末１４，１５（第２携帯端末）は、医師や製薬会社の担当者が所持する。医師が所属する医療機関、製薬会社には、ＰＨＳ携帯端末１４，１５から各種データを送受信可能な管理コンピュータ１６，１７が設置されている。管理コンピュータ１６，１７には、キーボードやスキャナ、マウス等の入力装置、ディスプレイやプリンタ等の出力装置がインターフェイス（有線または無線）を介して接続されている。この観察システム１０では、エンドデバイス１１が各アクセスポイント１２に各種データを含む電波を発信し、エンドデバイス１１から発信された電波を受信した各アクセスポイント１２が各種データや受信電力（電波強度）をＰＨＳ携帯端末１３に送信する。また、ＰＨＳ携帯端末１３から携帯端末１４，１５に認知症患者に関する各種データが送信される。なお、図１にはエンドデバイス１１が１つだけ図示されているが、実際には複数のデバイス１１が存在し、それらデバイス１１が各アクセスポイント１２に電波を発信する。
【００２３】
この観察システム１０における無線通信ネットワークには、近距離無線通信規格である無線ＬＡＮジグビー（ＺｉｇＢｅｅ）（登録商標）が利用されている。無線ＬＡＮジグビーは、通信コストが安価で消費電力が少ない近距離無線通信規格であり、物理層にＩＥＥＥが使用され、２．４ＧＨｚ帯の周波数帯域を１６のチャネルに分割して利用する。無線ＬＡＮジグビーでは、データの転送（電波の送受信）に指向性がなく、データ転送速度が最大で２５０ｋｂｐｓであり、データ転送距離が１〜１００ｍである。無線ＬＡＮジグビーは、相互に接続するマルチホッピング機能により、６４０００個の機器を接続することができ、すべてを無線でコントロール可能な無線通信ネットワークを構築することができる。
【００２４】
図２，３は、エンドデバイス１１の平面図と、図２のＡ−Ａ線端面図とである。図４，５は、図２のＢ−Ｂ線端面図と、一例として示すジグビーチップ２０の概略構成図とである。図６は、認知症患者１８を背面から示す図である。図６では、エンドデバイス１１が認知症患者１８の背中に貼付されている。エンドデバイス１１は、円形のシート１９と、シート１９に固着されたジグビーチップ２０（無線通信チップ）とから形成されている。シート１９は、粘着剤２１が塗布された粘着面２２と、粘着面２２の反対側の非粘着面２３とを有する。シート１９には、粘着剤２１が塗布されていない摘み部分２４が形成されている。粘着面２２は、それと同形同大の剥離紙２５に被覆保護されている。各エンドデバイス１１には、それを特定するためのＩＤ番号（エンドデバイス識別番号）が設定されている。なお、シート１９の平面形状を図示の円形に限定するものではなく、四角形や多角形、楕円形等の他のあらゆる形状を採用することができる。エンドデバイス１１は、その面積が５０〜３５０ｍｍ２、その重量が５〜３０ｇである。
【００２５】
シート１９には、プラスチックフィルムや繊維不織布を使用することができる。剥離紙２５には、片面に剥離剤が塗布されたプラスチックフィルムや繊維不織布を使用することができる。フィルムには、ポリエチレンフィルム、ポリプロピレンフィルム、ポリスチレンフィルム、ポリ塩化ビニルフィルム、ポリビニルアルコールフィルム、ポリエステルフィルム、ポリアミドフィルム、ポリウレタンフィルム等を使用することができる。不織布には、スパンボンド、スパンレース、メルトブローン、ニードルパンチ、ステッチボンド、ケミカルボンド、サーマルボンド等を使用することができる。フィルムや不織布には、伸縮性を有するそれらを使用することもできる。粘着剤には、ゴム系、アクリル系、シリコン系のいずれかを使用することができる。
【００２６】
ジグビーチップ２０は、無線ＬＡＮジグビーを利用することで無線通信可能かつ各種データを記憶可能である。ジグビーチップ２０は、図５に示すように、ＩＣ２６と、ＩＣ２６にインターフェイス２７を介して接続されたバッテリー２８（電池）とから形成されている。ＩＣ２６は、メモリ２９とマイクロプロセッサ３０とを備え、記憶機能や近距離無線通信機能等を有する。ＩＣ２６とバッテリー３０とは、ハウジング３１の内部に収納されている。ジグビーチップ２０は、粘着剤２１によってシート１９の粘着面２２に固着されている。
【００２７】
ジグビーチップ２０のマイクロプロセッサ３０は、メモリ２９に記憶されたオペレーティングシステムによる制御に基づいて、メモリ２９からアプリケーションプログラムを起動し、起動したプログラムに従って、ＰＨＳ携帯端末１３から認知症患者１８に関する患者データを受信する患者データ受信手段、受信した患者データをメモリ３０に記憶する患者データ記憶手段を実行する。また、メモリ２９に記憶した患者データを各アクセスポイント１２に送信する患者データ送信手段を実行する。患者データには、認知症患者の氏名，認知症患者を特定するＩＤ番号（患者識別番号），医師によって認定された患者の症状の軽重，患者の連絡先郵便番号，患者の連絡先住所，患者の連絡先電話番号，ヘルパーの氏名，患者データの格納日付または変更日付がある。
【００２８】
認知症患者１８にエンドデバイス１１を貼付する手順は、指でシート１９の摘み部分２４を摘持し、粘着面２２を被覆する剥離紙２５を剥がして粘着剤２１を露出させた後、粘着面２２を患者１８の所定の部位に押し付ける。図５では、エンドデバイス１１が患者１８の背中に貼付されているが、背中に限らず患者１８の他の部位に貼り付けることもできる。また、エンドデバイス１１が患者１８の服の外側は貼付されているが、患者１８の肌に直接貼り付けることもできる。エンドデバイス１１を患者１８の肌に直接貼り付ける場合は、シート１９（フィルムや不織布）が伸縮性を有することが好ましい。シート１９が伸縮性を有することで、シート１９が患者１８の動きに追従することができ、シート１９が患者１８の肌から剥がれることはなく、エンドデバイス１１の患者１８からの脱落を確実に防ぐことができる。なお、エンドデバイス１１を患者１８に貼付するときには、ジグビーチップ２０のメモリ２９に患者データが既に記憶されている。
【００２９】
図７は、一例として示すジグビーアダプタ３４の概略構成図である。アクセスポイント１２は、所定の区域内に分散して配置される。アクセスポイント１２には、それを特定するＩＤ番号（ポイント識別番号）が設定されている。アクセスポイント１２は、ハウジング３２と、ハウジング３２に取り付けられたアンテナ３３と、ハウジング３２の内部に収容された送受信装置（図示せず）とから形成されている。アクセスポイント１２には、ジグビーアダプタ３４が着脱可能に接続されている。ジグビーアダプタ３４は、ジグビーチップ３５と、コネクタ３６と、アダプタ３４の外形を画成するハウジング３７とから形成されている。それらアクセスポイント１２は、ジグビーアダプタ３４を介してエンドデバイス１１のジグビーチップ２０と無線通信可能であり、送受信装置を介してヘルパーが所持するＰＨＳ携帯端末１３と無線通信可能である。各アクセスポイント１２の送受信装置は、その使用周波数帯域が１．９ＧＨｚ、送信出力が１０ｍＷ、通信速度が６４ＫＢ／ｓである。
【００３０】
アダプタ３４を形成するジグビーチップ３５は、無線ＬＡＮジグビーを利用することで無線通信可能かつ所定のデータを記憶可能である。ジグビーチップ３５は、ＩＣ３８と、ＩＣ３８にインターフェイス３９を介して接続されたバッテリー４０（電池）とから形成されている。ＩＣ３８は、メモリ４１とマイクロプロセッサ４２とを備え、記憶機能や近距離無線通信機能等を有する。ＩＣ３８とバッテリー４０とは、ハウジング３７の内部に収納されている。コネクタ３６は、ハウジング３７の端部からハウジング３７の外側に露出している。アクセスポイント１２にアダプタ３４を接続するには、アクセスポイント１２の接続端子（図示せず）にコネクタ３６を挿し込む。なお、それらジグビーチップ２０，３５は、その構成部品としてＩＣ２６，３８を使用しているが、ＩＣ２６，３８の他に、ゲートアレイやフィールドプログラマブルゲートアレイ、専用ハードウェアのうちのいずれかを使用することもできる。
【００３１】
ジグビーチップ３５のマイクロプロセッサ４２は、メモリ４１に記憶されたオペレーティングシステムによる制御に基づいて、メモリ４１からアプリケーションプログラムを起動し、起動したプログラムに従って、患者データとエンドデバイス１１のＩＤ番号とをデバイス１１から無線通信によって受信するデータ受信手段、受信した患者データやＩＤ番号をアクセスポイント１２に転送するデータ転送手段を実行する。マイクロプロセッサ４２は、患者データやＩＤ番号をアクセスポイント１２に転送した後、患者データやＩＤ番号のＰＨＳ携帯端末１３への送信をアクセスポイント１２に指示するデータ送信指示手段を実行する。
【００３２】
ＰＨＳ携帯端末１３，１４，１５は、ＣＰＵ（中央処理装置）と大容量ハードディスク（メモリ）（記憶部）とを備えたコンピュータであり、通信機能の他に、演算機能や記憶機能等を有する。ＰＨＳ携帯端末１３，１４，１５は、その使用周波数帯域が１．９ＧＨｚ、送信出力が１０ｍＷ、通信速度が６４ＫＢ／ｓである。それらＰＨＳ携帯端末１３，１４，１５は、ＰＨＳ通信方式に基づいて他のＰＨＳ携帯端末と通信可能である。ヘルパーが所持するＰＨＳ携帯端末１３は、ＰＨＳ通信方式に基づいてアセスポイント１２と無線通信可能である。ＰＨＳ携帯端末１３には、ジグビーチップが内蔵されている（図示せず）。なお、携帯端末１３に内蔵されたジグビーチップは図２のエンドデバイス１１のそれと同一であるから、その説明は省略する。ＰＨＳ携帯端末１３のジグビーチップとエンドデバイス１１のジグビーチップ２０とは、無線ＬＡＮジグビーを利用することで互いに無線通信可能である。
【００３３】
無線ＬＡＮジグビーを利用するこの観察システム１０では、エンドデバイス１１と各アクセスポイント１２との間の通信距離を１〜１００ｍの範囲で設定可能である。エンドデバイス１１のジグビーチップ２０と各アクセスポイント１２のジグビーアダプタ３４との間の通信速度、エンドデバイス１１のジグビーチップ２０とＰＨＳ携帯端末１３のジグビーチップとの間の通信速度は、２０〜２５０ＫＢ／ｓであり、エンドデバイス１１のジグビーチップ２０と各アクセスポイント１２のジグビーアダプタ３４との通信時における利用周波数帯域、エンドデバイス１１のジグビーチップ２０とＰＨＳ携帯端末１３のジグビーチップとの通信時の利用周波数帯域は、２．４ＧＨｚである。また、エンドデバイス１１のジグビーチップ２０と各アクセスポイント１２のジグビーアダプタ３４との通信時における消費電力、エンドデバイス１１のジグビーチップ２０とＰＨＳ携帯端末１３のジグビーチップとの通信時における消費電力は、６０ｍＷ以下である。
【００３４】
ヘルパーが所持するＰＨＳ携帯端末１３のＣＰＵは、メモリに記憶されたオペレーティングシステムによる制御に基づいて、メモリからアプリケーションプログラムを起動し、プログラムに従って以下の各手段を実行する。なお、ＰＨＳ携帯端末１３のメモリには、患者１８が徘徊する区域の地図座標（図１４参照）、各アクセスポイント１２を特定するＩＤ番号（ポイント識別番号）、各アクセスポイント１２の地図座標上の位置（図１４参照）、受信電力の減衰曲線（図１５参照）があらかじめ記憶されている。
【００３５】
ＰＨＳ携帯端末１３のＣＰＵは、アクセスポイント１２に受信された認知症患者１８の患者データや電波の受信電力をそのアクセスポイント１２から無線通信によって受信するデータ受信手段を実行する。ＣＰＵは、認知症患者１８に関する患者データの入力エリアをディスプレイ４３（表示部）に表示する患者データ入力表示手段、患者１８の日常生活状況に関する日常生活データの入力エリアをディスプレイ４３に表示する日常生活データ入力表示手段、患者１８の排便状態に関する排便データの入力エリアをディスプレイ４３に表示する排便データ入力表示手段を実行する。
【００３６】
ＰＨＳ携帯端末１３のＣＰＵは、ヘルパーが患者データ入力エリアに患者データを入力した後、入力された患者データをメモリに記憶する患者データ記憶手段（患者データ第１記憶手段）、ヘルパーが日常生活データ入力エリアに日常生活データを入力した後、入力された日常生活データを患者データに関連付けてメモリに記憶する日常生活データ記憶手段（日常生活データ第１記憶手段）、ヘルパーが排便データ入力エリアに排便データを入力した後、入力された排便データを患者データに関連付けてメモリに記憶する排便データ記憶手段（排便データ第１記憶手段）を実行する。日常生活データには、起床時間，就寝時間，朝食の有無，朝食時間，昼食の有無，昼食時間，夕食の有無，夕食時間，食の進み具合，食前血圧，食後血圧，投与薬剤の種類，薬剤投与の時間，体温，体温測定時間，健康状態がある。排便データには、排便時間，排便量，排便硬さ，排便色がある。
【００３７】
ＰＨＳ携帯端末１３のＣＰＵは、各アクセスポイント１２から受信したエンドデバイス１１の受信電力に基づいてエンドデバイス１１と各アクセスポイント１２との距離を算出し、算出した距離からエンドデバイス１１の位置を測定することで、認知症患者１８の位置を特定する位置特定手段を実行する。ＣＰＵは、位置特定手段を介して特定したエンドデバイス１１の位置を時系列につなげることで、患者１８の時系列的な移動経路を推定する移動経路推定手段を実行する。ＣＰＵは、移動経路推定手段を介して推定した現在の移動経路を移動経路記憶手段を介して記憶した過去の移動経路と比較する移動経路比較手段、過去の移動経路に対する現在の移動経路の距離差を算出する距離差算出手段を実行する。
【００３８】
ＰＨＳ携帯端末１３のＣＰＵは、位置特定手段を介して特定した認知症患者１８の時系列的な位置データを患者データに関連付けてメモリに記憶する位置データ記憶手段、移動経路推定手段を介して推定した患者１８の移動経路データを患者データに関連付けてメモリに記憶する移動経路データ記憶手段を実行する。ＣＰＵは、移動経路比較手段を介して比較した移動経路比較データを患者データに関連付けてメモリに記憶する比較データ記憶手段、距離差算出手段を介して算出した距離差データを患者データに関連付けてメモリに記憶する距離差データ記憶手段を実行する。
【００３９】
ＰＨＳ携帯端末１３のＣＰＵは、患者データをジグビーチップを介してエンドデバイス１１に送信し、患者データを医師や製薬会社の担当者が所持するＰＨＳ携帯端末１４，１５に送信する患者データ送信手段、日常生活データをＰＨＳ携帯端末１４，１５に送信する日常生活データ送信手段、排便データをＰＨＳ携帯端末１４，１５に送信する排便データ送信手段を実行する。ＣＰＵは、患者１８の位置データをＰＨＳ携帯端末１４，１５に送信する位置データ送信手段、移動経路データをＰＨＳ携帯端末１４，１５に送信する移動経路データ送信手段を実行する。ＣＰＵは、移動経路比較データをＰＨＳ携帯端末１４，１５に送信する比較データ送信手段、距離差データをＰＨＳ携帯端末１４，１５に送信する距離差データ送信手段を実行する。
【００４０】
ＰＨＳ携帯端末１３のＣＰＵは、メモリに記憶された現在から過去のいずれかの時点における患者データをディスプレイ４３に表示する過去分患者データ表示手段、メモリに記憶された現在から過去のいずれかの時点における日常生活データをディスプレイ４３に表示する過去分日常生活データ表示手段、メモリに記憶された現在から過去のいずれかの時点における排便データをディスプレイ４３に表示する過去分排便データ表示手段を実行する。ＣＰＵは、メモリに記憶された現在から過去のいずれかの時点における認知症患者１８の位置データをディスプレイ４３に表示する過去分位置データ表示手段、メモリに記憶された現在から過去のいずれかの時点における患者１８の移動経路データをディスプレイ４３に表示する過去分移動経路データ表示手段を実行する。ＣＰＵは、メモリに記憶された現在から過去のいずれかの時点における移動経路比較データをディスプレイ４３に表示する過去分比較データ表示手段、メモリに記憶された現在から過去のいずれかの時点における距離差データをディスプレイ４３に表示する過去分距離差データ表示手段を実行する。
【００４１】
ＰＨＳ携帯端末１３のＣＰＵは、記憶した日常生活データをその記憶時から所定期間経過後にメモリから消去する日常生活データ消去手段、記憶した排便データをその記憶時から所定期間経過後にメモリから消去する排便データ消去手段を実行する。ＣＰＵは、記憶した位置データをその記憶時から所定期間経過後にメモリから消去する位置データ消去手段、記憶した移動経路データをその記憶時から所定期間経過後にメモリから消去する移動経路データ消去手段を実行する。ＣＰＵは、記憶した比較データをその記憶時から所定期間経過後にメモリから消去する比較データ消去手段、記憶した距離差データをその記憶時から所定期間経過後にメモリから消去する距離差データ消去手段を実行する。
【００４２】
医師や製薬会社の担当者が所持するＰＨＳ携帯端末１４，１５のＣＰＵは、メモリに記憶されたオペレーティングシステムによる制御に基づいて、メモリからアプリケーションプログラムを起動し、プログラムに従って以下の各手段を実行する。ＣＰＵは、ＰＨＳ携帯端末１３から送信された患者データを受信する患者データ受信手段、ＰＨＳ携帯端末１３から送信された日常生活データを受信する日常生活データ受信手段、ＰＨＳ携帯端末１３から送信された排便データを受信する排便データ受信手段を実行する。ＣＰＵは、ＰＨＳ携帯端末１３から送信された位置データを受信する位置データ受信手段、ＰＨＳ携帯端末１３から送信された移動経路データを受信する移動経路データ受信手段を実行する。ＣＰＵは、ＰＨＳ携帯端末１３から送信された移動経路比較データを受信する比較データ受信手段、ＰＨＳ携帯端末１３から送信された距離差データを受信する距離差データ受信手段を実行する。
【００４３】
ＰＨＳ携帯端末１４，１５のＣＰＵは、受信した患者データをメモリに記憶する患者データ記憶手段（患者データ第２記憶手段）、受信した日常生活データを患者データに関連付けてメモリに記憶する日常生活データ記憶手段（日常生活データ第２記憶手段）、受信した排便データを患者データに関連付けてメモリに記憶する排便データ記憶手段（排便データ第２記憶手段）を実行する。ＣＰＵは、受信した患者１８の位置データを患者データに関連付けてメモリに記憶する位置データ記憶手段、受信した移動経路データを患者データに関連付けてメモリに記憶する移動経路データ記憶手段を実行する。ＣＰＵは、受信した移動経路比較データを患者データに関連付けてメモリに記憶する比較データ記憶手段、受信した距離差さデータを患者データに関連付けてメモリに記憶する距離差データ記憶手段を実行する。
【００４４】
ＰＨＳ携帯端末１４，１５のＣＰＵは、メモリに記憶された現在から過去のいずれかの時点における患者データをディスプレイ４３に表示する過去分患者データ表示手段、メモリに記憶された現在から過去のいずれかの時点における日常生活データをディスプレイ４３に表示する過去分日常生活データ表示手段、メモリに記憶された現在から過去のいずれかの時点における排便データをディスプレイ４３に表示する過去分排便データ表示手段を実行する。ＣＰＵは、メモリに記憶された現在から過去のいずれかの時点における認知症患者１８の位置データをディスプレイ４３に表示する過去分位置データ表示手段、メモリに記憶された現在から過去のいずれかの時点における患者１８の移動経路データをディスプレイ４３に表示する過去分移動経路データ表示手段を実行する。ＣＰＵは、メモリに記憶された現在から過去のいずれかの時点における移動経路の比較データをディスプレイ４３に表示する過去分比較データ表示手段、メモリに記憶された現在から過去のいずれかの時点における距離差データをディスプレイ４３に表示する過去分距離差データ表示手段を実行する。
【００４５】
ＰＨＳ携帯端末１４，１５のＣＰＵは、記憶した日常生活データをその記憶時から所定期間経過後にメモリから消去する日常生活データ消去手段、記憶した排便データをその記憶時から所定期間経過後にメモリから消去する排便データ消去手段を実行する。ＣＰＵは、記憶した患者１８の位置データをその記憶時から所定期間経過後にメモリから消去する位置データ消去手段、記憶した移動経路データをその記憶時から所定期間経過後にメモリから消去する移動経路データ消去手段を実行する。ＣＰＵは、記憶した移動経路比較データをその記憶時から所定期間経過後にメモリから消去する比較データ消去手段、記憶した距離差データをその記憶時から所定期間経過後にメモリから消去する距離差データ消去手段を実行する。
【００４６】
ＰＨＳ携帯端末１４，１５のＣＰＵは、ヘルパーが所持するＰＨＳ携帯端末１３に記憶された過去から現在までの患者データや日常生活データ，排便データ，患者１８の位置データ，移動経路データ，移動経路の比較データ、移動経路の距離差データを強制的に閲覧する強制閲覧手段を実行し、ＰＨＳ携帯端末１３が特定した患者１８の現在の位置データを強制的に閲覧する強制閲覧手段を実行する。ＣＰＵは、ＰＨＳ携帯端末１３に記憶された過去から現在までの患者データや日常生活データ，排便データ，患者１８の位置データ，移動経路データ，移動経路の比較データ、移動経路の距離差データを携帯端末１３から強制的に転送させる強制転送手段を実行し、ＰＨＳ携帯端末１３が特定した患者１８の現在の位置データを強制的に転送させる強制転送手段を実行する。
【００４７】
したがって、医師や製薬会社の担当者は、それらが所持するＰＨＳ携帯端末１４，１５を介し、ヘルパーが所持するＰＨＳ携帯端末１３に記憶された患者データや日常生活データ，排便データ，患者１８の移動経路，移動経路の比較、移動経路の距離差を何時でも閲覧することができ、ＰＨＳ携帯端末１３が特定した患者１８の現在位置を何時でも閲覧することができる。さらに、患者データや日常生活データ，排便データ，患者１８の移動経路，移動経路の比較、移動経路の距離差をＰＨＳ携帯端末１３から何時でも強制的に転送させることができ、患者１８の現在位置をＰＨＳ携帯端末１３から何時でも強制的に転送させることができる。なお、ＰＨＳ携帯端末１４，１５は、管理コンピュータ１６，１７へ各種データを送信可能、かつ、管理コンピュータ１６，１７から各種データを受信可能である。
【００４８】
図８は、ＰＨＳ携帯端末１３のディスプレイ４３に表示された患者データ入力画面の一例を示す図であり、図９〜図１２は、ＰＨＳ携帯端末１３のディスプレイ４３に表示された日常生活データ入力画面の一例を示す図である。ヘルパーがＰＨＳ携帯端末１３の所定のボタンを押すと、患者データ入力画面の表示の有無（する，しない）、日常生活データ入力画面の表示の有無（する，しない）、排便データ入力画面の表示の有無（する，しない）、過去のデータの検索の有無（する，しない）、それらデータを変更する場合の変更がＰＨＳ携帯端末１３のディスプレイ４３に表示される（図示せず）。
【００４９】
ＰＨＳ携帯端末１４，１５に患者データを送信する場合やエンドデバイス１１のジグビーチップ２０に患者データを入力する場合、ヘルパーは、患者データ入力画面の表示の有（する）のボタンを選択する。ヘルパーが患者データ入力画面の表示有（する）を押すと、ＰＨＳ携帯端末１３のディスプレイ４３には、図８に示すように、患者データ入力画面が表示され（患者データ入力表示手段）、患者データを入力する各入力エリアが表示される。それら入力エリアには、認知症患者１８の氏名の入力エリア，ふりがな入力エリア，郵便番号入力エリア，住所入力エリア，電話番号入力エリア，症状の軽重の入力エリア，ヘルパー氏名入力エリアがある。症状の軽重は重，中，軽に区分され、医師によってあらかじめ認定された区分を入力する。重を入力するには携帯端末１３の数字番号（１）を押し、中を入力するには携帯端末１３の数字番号（２）を押す。軽を入力するには携帯端末１３の数字番号（３）を押す。
【００５０】
ヘルパーがそれら患者データ入力エリアに各項目を入力すると、ディスプレイ４３に各患者データを表示した確認画面が表示される（図示せず）。確認画面に誤りがある場合、ヘルパーは、ディスプレイ４３に表示された再入力を押し、患者データ入力エリアに再度各項目を入力する。確認画面に誤りがない場合、ヘルパーは、ディスプレイ４３に表示された正常を押す。次に、ヘルパーは、患者データの格納の有無（する，しない）を選択する。格納有（する）を選択する場合は、ディスプレイ４３の（する）を押すか、または、携帯端末１３の数字番号（１）を押す。格納有（する）が選択されると、ＰＨＳ携帯端末１３のＣＵＰは、その認知症患者１８に対応するＩＤ番号（患者識別番号）を生成し、格納日付（年月日）および格納時間（時分）とともにそれら患者データとＩＤ番号とをメモリに記憶する（患者データ記憶手段）（患者データ第１記憶手段）。
【００５１】
格納無（しない）を選択する場合は、ディスプレイ４３の（しない）を押すか、または、携帯端末１３の数字番号（２）を押す。格納無（しない）を選択すると、患者データのメモリへの格納は行われず、ディスプレイ４３に患者データ入力画面が再び表示されるとともに、データ入力の有無（する，しない）が表示される（図示せず）。患者データの入力を中止する場合は、入力の無（しない）を選択する。入力無（しない）を選択すると、携帯端末１３のディスプレイ４３に初期状態画面（図示せず）が表示される。
【００５２】
患者データを変更する場合は、ディスプレイ４３の変更を押した後、患者データ入力画面の表示の有（する）を押す。ディスプレイ４３には、認知症患者１８のＩＤ番号の入力エリアが表示される。ヘルパーがＩＤ番号を入力すると、ディスプレイ４３には、その患者１８の患者データが表示される。ヘルパーは、携帯端末１３を介してディスプレイ４３に表示された患者データを変更する。患者データが変更されると、変更された各患者データを表示した確認画面が表示される（図示せず）。その後の手順は初期の患者データ入力手順と同一であるから、その説明は省略する。ＰＨＳ携帯端末１３のＣＵＰは、変更日付（年月日）および変更時間（時分）とともに患者１８のＩＤ番号を含む変更された患者データをメモリに記憶する。
【００５３】
ヘルパーは、患者データの格納処理を行った後、患者データの送信の有無（する，しない）を選択する。送信有（する）を選択する場合は、ＰＨＳ携帯端末１３の近傍にエンドデバイス１１を置き、ディスプレイ４３の（する）を押すか、または、携帯端末１３の数字番号（１）を押す。送信有（する）が選択されると、患者１８のＩＤ番号を含む患者データがＰＨＳ携帯端末１３からＰＨＳ携帯端末１４，１５に送信されるとともに、患者１８のＩＤ番号を含む患者データがＰＨＳ携帯端末１３のジグビーチップからエンドデバイス１１のジグビーチップ２０に送信される（患者データ送信手段）。
【００５４】
ＰＨＳ携帯端末１４，１５は、ＰＨＳ携帯端末１３から患者データを受信し（患者データ受信手段）、受信した日付（年月日）および時間（時分）とともに患者データをメモリに記憶する（患者データ記憶手段）。携帯端末１４，１５では、患者データに含まれる患者１８のＩＤ番号によって、患者データと患者１８との関連付けを行う。なお、変更された患者データがＰＨＳ携帯端末１３からＰＨＳ携帯端末１４，１５に送信されると、携帯端末１４，１５は、メモリに記憶した患者データを変更されたそれに書き替える。
【００５５】
エンドデバイス１１のジグビーチップ２０は、ＰＨＳ携帯端末１３のジグビーチップから患者データを受信する（患者データ受信手段）。エンドデバイス１１のジグビーチップ２０は、受信した日付（年月日）および時間（時分）とともに患者データをメモリ２９に記憶し、デバイス１１を特定するＩＤ番号と患者１８を特定するＩＤ番号とを互いに関連付けた状態でそれらＩＤ番号をメモリ２９に記憶する（患者データ記憶手段）（患者データ第２記憶手段）。エンドデバイス１１では、患者データに含まれる患者１８のＩＤ番号によって、患者データと患者１８とが関連付けられ、デバイス１１のＩＤ番号と患者１８のＩＤ番号とによって、デバイス１１と患者データとが関連付けられる。
【００５６】
送信無（しない）を選択する場合は、ディスプレイ４３の（しない）を押すか、または、携帯端末１３の数字番号（２）を押す。送信無（しない）が選択されると、患者データの送信は行われず、ディスプレイ４３に患者データ入力画面が再び表示されるとともに、データ入力の有無（する，しない）が表示される。患者データの入力を中止する場合は、入力の無（しない）を選択する。入力無（しない）を選択すると、携帯端末１３のディスプレイ４３に初期状態画面が表示される。
【００５７】
ＰＨＳ携帯端末１３に日常生活データを入力する場合、ヘルパーは、日常生活データ入力画面の表示の有（する）のボタンを選択する。ヘルパーが日常生活データ入力画面の表示有（する）を押すと、患者１８を特定するＩＤ番号の入力エリアと朝，昼，夕の各選択エリアとが表示される（図示せず）。ＩＤ番号の入力エリアに患者１８のＩＤ番号を入力し、朝，昼，夕のいずれかを選択すると、ＰＨＳ携帯端末１３のディスプレイ４３には、図９〜図１１に示すように、朝，昼，夕に対応した日常生活データ入力画面が表示される（日常生活データ入力表示手段）。ディスプレイ４３には、日付（年月日）と患者氏名とが表示されるとともに、日常生活データを入力する各入力エリアが表示される。それら入力エリアには、起床時間入力エリア，就寝時間入力エリア，朝食有無入力エリア，昼食有無入力エリア，夕食有無入力エリア，朝食時間入力エリア，昼食時間入力エリア，夕食時間入力エリア，食の進み具合入力エリア，食前血圧入力エリア，食後血圧入力エリア，投与薬剤の種類入力エリア，薬剤投与の時間入力エリア，体温入力エリア，体温測定時間入力エリア，健康状態入力エリアがある。
【００５８】
日常生活データ入力において朝食や昼食、夕食の有を選択する場合は、ディスプレイ４３の有を押すか、または、携帯端末の数字番号（１）を押す。朝食や昼食、夕食の無を選択する場合は、ディスプレイ４３の無を押すか、または、携帯端末の数字番号（２）を押す。食事の進み具合は、ディスプレイ４３の優，良，可，不可を押すか、または、携帯端末の数字番号（１），（２），（３），（４）を押す。投与薬剤の種類の特定は、ディスプレイ４３のＡ，Ｂ，Ｃ，Ｄ，Ｅを押すか、または、携帯端末の数字番号（１），（２），（３），（４），（５）を押す。ここで、Ａ，Ｂ，Ｃ，Ｄ，Ｅは、薬剤の種類を示すものとする。健康状態の特定は、ディスプレイ４３の優，良，可，不可を押すか、または、携帯端末の数字番号（１），（２），（３），（４）を押す。
【００５９】
ヘルパーは、それら日常生活データ入力エリアに各項目を入力した後、日常生活データの格納の有無（する，しない）を選択する。格納有（する）を選択する場合は、ディスプレイ４３の（する）を押すか、または、携帯端末１３の数字番号（１）を押す。格納有（する）が選択されると、ディスプレイ４３に日常生活データを表示した確認画面が表示される（図示せず）。確認画面に誤りがある場合、ヘルパーは、ディスプレイ４３に表示された再入力を押し、日常生活データ入力エリアに再度各項目を入力する。確認画面に誤りがない場合、ヘルパーは、ディスプレイ４３に表示された格納を押す。ＰＨＳ携帯端末１３のＣＵＰは、格納日付（年月日）および格納時間（時分）とともに入力されたそれら日常生活データをメモリに記憶する（日常生活データ記憶手段）（日常生活データ第１記憶手段）。携帯端末１３では、患者１８のＩＤ番号を参照することによって、日常生活データとすでにメモリに記憶した患者データとの関連付けを行う。
【００６０】
格納無（しない）を選択する場合は、ディスプレイ４３の（しない）を押すか、または、携帯端末１３の数字番号（２）を押す。格納無（しない）を選択すると、日常生活データのメモリへの格納は行われず、ディスプレイ４３に日常生活データ入力画面が再び表示されるとともに、データ入力の有無（する，しない）が表示される（図示せず）。日常生活データの入力を中止する場合は、入力の無（しない）を選択する。入力無（しない）を選択すると、携帯端末１３のディスプレイ４３に初期状態画面が表示される。
【００６１】
ヘルパーは、日常生活データの格納処理を行った後、日常生活データの送信の有無（する，しない）を選択する。送信有（する）を選択する場合は、ディスプレイ４３の（する）を押すか、または、携帯端末１３の数字番号（１）を押す。送信有（する）が選択されると、患者のＩＤ番号とそれら日常生活データとがＰＨＳ携帯端末１３から医師や製薬会社の担当者が所持するＰＨＳ携帯端末１４，１５に送信される（日常生活データ送信手段）。ＰＨＳ携帯端末１４，１５は、携帯端末１３から日常生活データとＩＤ番号とを受信し（日常生活データ受信手段）、受信した日付（年月日）および時間（時分）とともに日常生活データとＩＤ番号とをメモリに記憶する（日常生活データ記憶手段）（日常生活データ第２記憶手段）。携帯端末１４，１５では、患者１８のＩＤ番号を参照することによって、日常生活データとすでにメモリに記憶した患者データとの関連付けを行う。
【００６２】
送信無（しない）を選択する場合は、ディスプレイ４３の（しない）を押すか、または、携帯端末１３の数字番号（２）を押す。送信無（しない）が選択されると、ＩＤ番号やそれら日常生活データの送信は行われず、ディスプレイ４３に日常生活データ入力画面が再び表示されるとともに、データ入力の有無（する，しない）が表示される。日常生活データの入力を中止する場合は、入力の無（しない）を選択する。入力の無（しない）を選択すると、携帯端末１３のディスプレイ４３に初期状態画面が表示される。
【００６３】
日常生活データを変更する場合は、ディスプレイ４３の変更を押した後、日常生活データ入力画面の表示の有（する）を押す。ディスプレイ４３には、認知症患者のＩＤ番号の入力エリア、日付（年月日）の入力エリアが表示される。ヘルパーがＩＤ番号と日付とを入力すると、ディスプレイ４３には、指定した日付におけるその患者の日常生活データが表示される。ヘルパーは、携帯端末１３を介してディスプレイ４３に表示された日常生活データを変更する。日常生活データが変更されると、変更された各日常生活データを表示した確認画面が表示される（図示せず）。その後の手順は通常の日常生活データ入力手順と同一であるから、その説明は省略する。ＰＨＳ携帯端末１３のＣＵＰは、変更日付（年月日）および変更時間（時分）とともに変更された日常生活データとＩＤ番号とをメモリに記憶する。なお、変更された日常生活データがＰＨＳ携帯端末１３からＰＨＳ携帯端末１４，１５に送信されると、携帯端末１４，１５は、メモリに記憶した日常生活データを変更されたそれに書き替える。
【００６４】
ＰＨＳ携帯端末１３に排便データを入力する場合、ヘルパーは、排便データ入力画面の表示の有（する）のボタンを選択する。ヘルパーが排便データ入力画面の表示有（する）を押すと、患者１８を特定するＩＤ番号の入力エリアが表示される（図示せず）。ＩＤ番号の入力エリアに患者１８のＩＤ番号を入力すると、ＰＨＳ携帯端末１３のディスプレイ４３には、図１２に示すように、排便データ入力画面が表示される（排便データ入力表示手段）。ディスプレイ４３には、日付（年月日）と患者氏名とが表示されるとともに、排便データを入力する各入力エリアが表示される。それら入力エリアには、排便時間入力エリア，排便量入力エリア，排便硬さ入力エリア，排便色入力エリアがある。排便データ入力において排便の量は、ディスプレイ４３の多，中，少を押すか、または、携帯端末の数字番号（１），（２），（３）を押す。排便の硬さは、ディスプレイ４３の硬，中，軟，水様を押すか、または、携帯端末の数字番号（１），（２），（３），（４）を押す。
【００６５】
ヘルパーは、それら排便データ入力エリアに各項目を入力した後、排便データの格納の有無（する，しない）を選択する。格納有（する）を選択する場合は、ディスプレイ４３の（する）を押すか、または、携帯端末１３の数字番号（１）を押す。格納有（する）が選択されると、ディスプレイ４３に排便データを表示した確認画面が表示される（図示せず）。確認画面に誤りがある場合、ヘルパーは、ディスプレイ４３に表示された再入力を押し、排便データ入力エリアに再度各項目を入力する。確認画面に誤りがない場合、ヘルパーは、ディスプレイ４３に表示された格納を押す。ＰＨＳ携帯端末１３のＣＵＰは、格納日付（年月日）および格納時間（時分）とともに入力されたそれら排便データをメモリに記憶する（排便データ記憶手段）（排便データ第１記憶手段）。携帯端末１３では、患者１８のＩＤ番号を参照することによって、排便データとすでにメモリに記憶した患者データとの関連付けを行う。
【００６６】
格納無（しない）を選択する場合は、ディスプレイ４３の（しない）を押すか、または、携帯端末１３の数字番号（２）を押す。格納（しない）を選択すると、排便データのメモリへの格納は行われず、ディスプレイ４３に排便データ入力画面が再び表示されるとともに、入力の有無（する，しない）が表示される（図示せず）。排便データの入力を中止する場合は、入力の無（しない）を選択する。入力無（しない）を選択すると、携帯端末１３のディスプレイ４３に初期状態画面が表示される。
【００６７】
ヘルパーは、排便データの格納処理を行った後、排便データの送信の有無（する，しない）を選択する。送信有（する）を選択する場合は、ディスプレイ４３の（する）を押すか、または、携帯端末１３の数字番号（１）を押す。送信有（する）が選択されると、患者のＩＤ番号とそれら排便データとがＰＨＳ携帯端末１３からＰＨＳ携帯端末１４，１５に送信される（排便データ送信手段）。ＰＨＳ携帯端末１４，１５は、携帯端末１３から排便データとＩＤ番号とを受信し（排便データ受信手段）、受信した日付（年月日）および時間（時分）とともに排便データとＩＤ番号とをメモリに記憶する（排便データ記憶手段）（排便データ第２記憶手段）。携帯端末１４，１５では、患者１８のＩＤ番号を参照することによって、排便データとすでにメモリに記憶した患者データとの関連付けを行う。
【００６８】
送信無（しない）を選択する場合は、ディスプレイ４３の（しない）を押すか、または、携帯端末１３の数字番号（２）を押す。送信無（しない）が選択されると、それら排便データの送信は行われず、ディスプレイ４３に排便データ入力画面が再び表示されるとともに、データ入力の有無（する，しない）が表示される。排便データの入力を中止する場合は、入力の無（しない）を選択する。入力無（しない）を選択すると、携帯端末１３のディスプレイ４３に初期状態画面が表示される。
【００６９】
排便データを変更する場合は、ディスプレイ４３の変更を押した後、排便データ入力画面の表示の有（する）を押す。ディスプレイ４３には、認知症患者１８のＩＤ番号の入力エリア、日付（年月日）の入力エリアが表示される。ヘルパーがＩＤ番号と日付とを入力すると、ディスプレイ４３には、指定した日付におけるその患者１８の排便データが表示される。ヘルパーは、携帯端末１３を介してディスプレイ４３に表示された排便データを変更する。排便データが変更されると、変更された各排便データを表示した確認画面が表示される（図示せず）。その後の手順は通常の排便データ入力手順と同一であるから、その説明は省略する。ＰＨＳ携帯端末１３のＣＵＰは、変更日付（年月日）および変更時間（時分）とともに変更された排便データとＩＤ番号とをメモリに記憶する。なお、変更された排便データがＰＨＳ携帯端末１３からＰＨＳ携帯端末１４，１５に送信されると、携帯端末１４，１５は、メモリに記憶した排便データを変更されたそれに書き替える。
【００７０】
図１３は、ＰＨＳ携帯端末１３，１４，１５のメモリ（記憶部）に記憶された過去から現在までのいずれかの時点における患者データ、日常生活データ、排便データを検索する検索画面の一例を示す図である。ＰＨＳ携帯端末１３，１４，１５からそれらデータを検索する場合、ヘルパーや医師、製薬会社の担当者は、データの検索の有（する）を選択する。検索有（する）を押すと、患者１８を特定するＩＤ番号の入力エリアが表示される（図示せず）。ＩＤ番号の入力エリアに患者１８のＩＤ番号を入力すると、ＰＨＳ携帯端末１３，１４，１５のディスプレイ４３（表示部）には、図１３に示すように、その患者１８に関するデータの検索画面が表示される。ディスプレイ４３には、日付（年月日）入力エリアと患者氏名とが表示されるとともに、各データの選択エリアが表示される。過去の患者データを検索する場合は、日付入力エリアに検索する日付を入力した後、ディスプレイ４３の患者データ検索を押すか、または、携帯端末１３，１４，１５の数字番号（１）を押す。患者データを選択した場合、ディスプレイ４３には、指定された日付における患者データが表示される（過去分患者データ表示手段）（図示せず）。
【００７１】
携帯端末１３，１４，１５において過去から現在までのいずれかの時点における日常生活データを検索する場合は、日付入力エリアに検索する日付を入力した後、ディスプレイ４３の日常生活データ検索を押すか、または、携帯端末１３，１４，１５の数字番号（２）を押し、さらに、朝，昼，夕のいずれかを押す。日常生活データを選択するとともに朝，昼，夕のいずれかを選択した場合、ディスプレイ４３には、指定された日付における朝，昼，夕のいずれかの日常生活データが表示される（過去分日常生活データ表示手段）（図示せず）。携帯端末１３，１４，１５において過去から現在までのいずれかの時点における排便データを検索する場合は、日付入力エリアに検索する日付を入力した後、ディスプレイ４３の排便データ検索を押すか、または、携帯端末１３，１４，１５の数字番号（３）を押す。排便データを選択した場合、ディスプレイ４３には、指定された日付における排便データが表示される（過去分排便データ表示手段）（図示せず）。
【００７２】
ヘルパーは、認知症患者１８の日常生活データや排便データをＰＨＳ携帯端末１３に毎日入力し、それらデータを医師や製薬会社の担当者が所持するＰＨＳ携帯端末１４，１５に送信する。それらデータを受信した医師や製薬会社の担当者は、それらデータを管理コンピュータ１６，１７に転送し、コンピュータ１６，１７においてそれらデータを管理する。この観察システム１０は、ヘルパーが認知症患者１８に関する日常生活データや排便データをＰＨＳ携帯端末１３に入力し、患者１８のそれらデータが携帯端末１３からＰＨＳ携帯端末１４，１５に送信されるから、患者１８の日常生活状況や排便状態を調書や診断書等の書面に記載する手間を省くことができ、ヘルパーの負担を大幅に軽減させることができる。また、認知症患者１８の日常生活データや排便データがＰＨＳ携帯端末１４に送信されるから、医師が患者１８の日常生活状況や排便状態をヘルパーに問い合わせる手間を省くことができる。
【００７３】
観察システム１０は、医師がＰＨＳ携帯端末１４を介して認知症患者１８の日常生活データや排便データを参照することで、患者１８の日常生活状況や排便状態を把握することができるから、日常生活状況や排便状態から患者１８の現在の容体を判断しつつ、患者１８に対する適切な処置や介護方針をヘルパーにリアルタイムに伝えることができ、患者１８に与える薬の種類をリアルタイムに伝えることができる。観察システム１０は、医師が認知症患者１８の症状の時系列的な進行状況や治癒状況を把握することができ、医師が日常生活データや排便データに基づいて患者１８の長期的な治療方針を決定することができる。この観察システム１０は、製薬会社の担当者がＰＨＳ携帯端末１５を介して認知症患者１８の日常生活状況や排便状態を把握、分析することができ、日常生活データや排便データを認知症のあらたな薬品開発の参考にすることができるから、製薬会社に認知症のあらたな薬品開発の有益な資料を提供することができる。
【００７４】
観察システム１９は、ＰＨＳ携帯端末１４がメモリに記憶した患者データや日常生活データ、排便データを過去に遡ってディスプレイに表示するから、医師が過去のいずれかの時点におけるそれらデータを再び確認することができ、過去のデータと現在のデータとを比較することで、患者１８の症状の時系列的な進行状況や治癒状況を確実に把握することができる。観察システム１０は、ＰＨＳ携帯端末１５がメモリに記憶した患者データや日常生活データ、排便データを過去に遡ってディスプレイに表示するから、製薬会社の担当者が過去のデータと現在のデータとを比較、分析することで、認知症のあらたな薬品開発の参考にすることができ、製薬会社に認知症のあらたな薬品開発の有益な資料を提供することができる。この観察システム１０は、ＰＨＳ携帯端末１３がメモリに記憶した患者データや日常生活データ、排便データを過去に遡ってディスプレイに表示するから、ヘルパーが過去のデータと現在のデータとを比較することで、患者１８の今後の介護方針を容易に決定することができる。
【００７５】
図１４は、認知症患者１８の徘徊の一例を示す図であり、図１５は、一例として示す受信電力の減衰曲線図である。図１６は、認知症患者１８の位置特定の一例を説明する図であり、図１７は、認知症患者１８の位置特定の他の一例を説明する図である。患者１８が徘徊する区域には、複数のアクセスポイント１２が設置されている。それらアクセスポイント１２は、少なくとも３つのそれらがエンドデバイス１１からの電波を受信することができるようにその配置が設計されている。それらアクセスポイント１２の電波受信距離は１〜１００ｍの範囲で設定可能であり、建造物、電柱等の各障害物の間隔や道路の長さに応じて、それらアクセスポイント１２の設置間隔が定められる。
【００７６】
ヘルパーは、患者データを記憶したエンドデバイス１１を患者１８の身体に貼付する。エンドデバイス１１からは、患者データとデバイス１１のＩＤ番号とを含む電波が断続的（定期的）に発信される（患者データ送信手段）。電波を定期的に発信する場合の電波の発信間隔は、５秒〜５分の範囲で設定することができる。なお、エンドデバイス１１は、電波を連続的に発信することもできる。この観察システム１０では、ヘルパーがＰＨＳ携帯端末１３の所定のボタンを押し、携帯端末１３に患者１８の位置特定を要求することで、徘徊する患者１８の現在位置を知ることができる。
【００７７】
エンドデバイス１１を貼付された患者１８が徘徊区域を徘徊すると、図１４に示すように、エンドデバイス１１のジグビーチップ２０から電波が定期的に発信され、電波発信地点において電波が各アクセスポイント１２に接続されたアダプタ３４のジグビーチップ３５に受信される（データ受信手段）。アダプタ３４のジグビーチップ３５は、エンドデバイス１１から受信した患者データを含む電波をアクセスポイント１２の送受信装置に転送した後（データ転送手段）、電波をＰＨＳ携帯端末１３に送信させる指令をアクセスポイント１２の送受信装置に出力する（データ送信指示手段）。アクセスポイント１２の送受信装置は、エンドデバイス１１から受信した電波とその電波の受信電力とをアンテナ３３を介してＰＨＳ携帯端末１３に送信する。アクセスポイント１２から送信される電波には、患者データ、アクセスポイント１２のＩＤ番号（ポイント識別番号）、エンドデバイス１１のＩＤ番号（デバイス識別番号）が含まれる。ＰＨＳ携帯端末１３は、アクセスポイント１２から送信された患者データ、アクセスポイント１２のＩＤ番号、エンドデバイス１１のＩＤ番号、電波の受信電力を受信する（データ受信手段）。
【００７８】
ＰＨＳ携帯端末１３は、アクセスポイント１２から受信したポイント１２のＩＤ番号をメモリに記憶したポイント１２のＩＤ番号に当て嵌め、電波を送信したポイント１２を特定するとともに、そのポイント１２の地図座標上の位置を特定する。また、アクセスポイント１２から受信した患者１８のＩＤ番号やエンドデバイス１１のＩＤ番号をメモリに記憶した患者１８のＩＤ番号やエンドデバイス１１のＩＤ番号に当て嵌め、患者１８とデバイス１１とを特定する。さらに、アクセスポイント１２から受信した患者データをメモリに記憶された患者データと比較し、それらデータが同一であることを判断することで、患者１８の同一性を保障する。
【００７９】
ＰＨＳ携帯端末１３は、アクセスポイント１２から受信した電波の受信電力をメモリに記憶した減衰曲線に当て嵌め、各アクセスポイント１２からエンドデバイス１１までの距離を測定する。たとえば、図１５，１６に示すように、患者１８がＡ地点に存在する場合、アクセスポイント１２αとエンドデバイス１１との距離Ｌα１は、受信電力Ｅα１から減衰曲線に向かって延びる線と減衰曲線との交点から求められ、アクセスポイント１２βとエンドデバイス１１との距離Ｌβ１は、受信電力Ｅβ１から減衰曲線に向かって延びる線と減衰曲線との交点から求められ、アクセスポイント１２γとエンドデバイス１１との距離Ｌγ１は、受信電力Ｅγ１から減衰曲線に向かって延びる線と減衰曲線との交点から求められる。なお、ＰＨＳ携帯端末１３は、次式を用いて各アクセスポイント１２からエンドデバイス１１までの距離Ｌを求めることもできる。
【数１】
2008113720.tif 000003
ここで、Ｓは減衰率，λは波長，Ｒは受信レベル，Ｅは受信電力，Ｇ１はエンドデバイス１１の利得，Ｇ２はアクセスポイント１２のアンテナ利得，Ｇ３はアクセスポイント１２のアンプのゲインである。
【００８０】
図１６に基づいてＰＨＳ携帯端末１１３によって行われる患者１８の位置特定の一例を説明すると、以下のとおりである。ＰＨＳ携帯端末１３は、少なくとも３つのアクセスポイント１２がエンドデバイス１１から電波を受信することでそれらポイント１２の座標上の既知の位置を特定しつつ、各アクセスポイント１２の座標上の位置とアクセスポイント１２からエンドデバイス１１までの距離を用いてデバイス１１の座標上の位置を算出する。すなわち、アクセスポイント１２αの座標上の位置（Ｘα，Ｙα）、アクセスポイント１２βの座標上の位置（Ｘβ，Ｙβ）、アクセスポイント１２γの座標上の位置（Ｘγ，Ｙγ）が既知であり、それらアクセスポイント１２α，１２β，１２γの座標上の位置とそれらアクセスポイント１２α，１２β，１２γからエンドデバイス１１までの距離Ｌα１，Ｌβ１，Ｌγ１とから、Ａ地点におけるエンドデバイス１１の座標上の位置（ＸＡ，ＹＡ）を算出する。ＰＨＳ携帯端末１３は、エンドデバイス１１の座標上の位置（ＸＡ，ＹＡ）を認知症患者１８の位置として特定する（位置特定手段）。ＰＨＳ携帯端末１３のディスプレイ４３には、区域の地図座標が表示されるとともに、Ａ地点に存在する患者１８の位置が表示される。
【００８１】
患者がＡ地点からＢ地点に移動した場合、アクセスポイント１２βとエンドデバイス１１との距離Ｌβ２は、受信電力Ｅβ２から減衰曲線に向かって延びる線と減衰曲線との交点から求められ、アクセスポイント１２γとエンドデバイス１１との距離Ｌγ２は、受信電力Ｅγ２から減衰曲線に向かって延びる線と減衰曲線との交点から求められる。アクセスポイント１２δとエンドデバイス１１との距離Ｌδ２は、受信電力Ｅδ２から減衰曲線に向かって延びる線と減衰曲線との交点から求められ、アクセスポイント１２εとエンドデバイス１１との距離Ｌε２は、受信電力Ｅε２から減衰曲線に向かって延びる線と減衰曲線との交点から求められる。アクセスポイント１２βの座標上の位置（Ｘβ，Ｙβ）、アクセスポイント１２γの座標上の位置（Ｘγ，Ｙγ）、アクセスポイント１２δの座標上の位置（Ｘδ，Ｙδ）、アクセスポイント１２εの座標上の位置（Ｘε，Ｙε）が既知であり、それらアクセスポイント１２β，１２γ，１２δ，１２εの座標上の位置とそれらアクセスポイント１２β，１２γ，１２δ，１２εからエンドデバイス１１までの距離Ｌβ２，Ｌγ２，Ｌδ２，Ｌε２とから、Ｂ地点におけるエンドデバイス１１の座標上の位置（ＸＢ，ＹＢ）を算出する。ＰＨＳ携帯端末１３は、エンドデバイス１１の座標上の位置（ＸＢ，ＹＢ）を認知症患者１８の位置として特定する（位置特定手段）。ＰＨＳ携帯端末１３のディスプレイ４３には、区域の地図座標が表示されるとともに、Ｂ地点に存在する患者１８の位置が表示される。ＰＨＳ携帯端末１３は、位置特定手段によって特定した患者１８の位置データをメモリに時系列に記憶する（位置データ記憶手段）。携帯端末１３では、患者１８のＩＤ番号を参照することによって、位置データとすでにメモリに記憶した患者データとの関連付けを行う。
【００８２】
ヘルパーは、位置データの送信の有無（する，しない）を選択する。送信有（する）を選択する場合は、ディスプレイ４３の（する）を押すか、または、携帯端末１３の数字番号（１）を押す。送信有（する）が選択されると、患者１８のＩＤ番号と位置データとがＰＨＳ携帯端末１３からＰＨＳ携帯端末１４，１５に送信される（位置データ送信手段）。ＰＨＳ携帯端末１４，１５は、携帯端末１３から送信された患者１８のＩＤ番号と位置データとを受信し（位置データ受信手段）、受信した位置データを患者１８のＩＤ番号とともにメモリに記憶する（位置データ記憶手段）。携帯端末１４，１５では、患者１８のＩＤ番号を参照することによって、位置データとすでにメモリに記憶した患者データとの関連付けを行う。
【００８３】
図１７に基づいてＰＨＳ携帯端末１３によって行われる患者１８の位置特定の他の一例を説明すると、以下のとおりである。ＰＨＳ携帯端末１３は、それらアクセスポイント１２α，１２β，１２γからエンドデバイス１１までの距離Ｌα１，Ｌβ１，Ｌγ１を求めた後、距離Ｌα１を半径とするとともにアクセスポイント１２αを中心とする円αＣ１を画き、距離Ｌβ１を半径とするとともにアクセスポイント１２βを中心とする円βＣ１を画き、距離Ｌγ１を半径とするとともにアクセスポイント１２γを中心とする円γＣ１を画く。次に、ＰＨＳ携帯端末１３は、それら円αＣ１，βＣ１，γＣ１の円周どうしが交わる点を求め、円周どうしの交点をＡ地点におけるエンドデバイス１１の位置とし、円周どうしの交点を認知症患者１８の位置として特定する（位置特定手段）。ＰＨＳ携帯端末１３のディスプレイ４３には、区域の地図座標が表示されるとともに、Ａ地点に存在する患者１８の位置が表示される。
【００８４】
患者１８がＡ地点からＢ地点に移動した場合、ＰＨＳ携帯端末１３は、それらアクセスポイント１２β，１２γ，１２δ，１２εからエンドデバイス１１までの距離Ｌβ２，Ｌγ２，Ｌδ２，Ｌε２を求めた後、距離Ｌβ２を半径とするとともにアクセスポイント１２βを中心とする円βＣ２を画き、距離Ｌγ２を半径とするとともにアクセスポイント１２γを中心とする円γＣ２を画く。さらに、距離Ｌδ２を半径とするとともにアクセスポイント１２δを中心とする円δＣ２を画き、距離Ｌε２を半径とするとともにアクセスポイント１２εを中心とする円εＣ２を画く。次に、ＰＨＳ携帯端末１３は、それら円βＣ２，γＣ１２，δＣ１２，γＣ１２の円周どうしが交わる点を求め、円周どうしの交点をＢ地点におけるエンドデバイス１１の位置とし、円周どうしの交点を認知症患者１８の位置として特定する（位置特定手段）。ＰＨＳ携帯端末１３のディスプレイ４３には、区域の地図座標が表示されるとともに、Ｂ地点に存在する患者１８の位置が表示される。ＰＨＳ携帯端末１３は、位置特定手段によって特定した患者１８の位置データをメモリに時系列に記憶する（位置データ記憶手段）。携帯端末１３では、患者１８のＩＤ番号を参照することによって、位置データとすでにメモリに記憶した患者データとの関連付けを行う。
【００８５】
ヘルパーは、位置データの送信の有無（する，しない）を選択する。送信有（する）を選択する場合は、ディスプレイ４３の（する）を押すか、または、携帯端末１３の数字番号（１）を押す。送信有（する）が選択されると、患者１８のＩＤ番号と位置データとがＰＨＳ携帯端末１３からＰＨＳ携帯端末１４，１５に送信される（位置データ送信手段）。ＰＨＳ携帯端末１４，１５は、携帯端末１３から送信された患者１８のＩＤ番号と位置データとを受信し（位置データ受信手段）、受信した位置データを患者１８のＩＤ番号とともにメモリに記憶する（位置データ記憶手段）。携帯端末１４，１５では、患者１８のＩＤ番号を参照することによって、位置データとすでにメモリに記憶した患者データとの関連付けを行う。この位置特定では、円周どうしの交点からエンドデバイス１１の位置を特定することができるから、各アクセスポイント１２の座標上の位置がわからない場合でも、患者１８の位置を特定することができる。また、エンドデバイス１１から電波が連続的に発信されている場合、患者１８の時系列的な位置変化を連続的に捕捉することができる。
【００８６】
図１８は、認知症患者１８の移動経路の一例を示す図であり、図１９は、患者１８の徘徊の他の一例を示す図である。図２０は、患者１８の移動経路の他の一例を示す図であり、図２１は、移動経路の距離差を示す図である。図１８は、図１４の徘徊における移動経路を示し、図２０は、図１９の徘徊における移動経路を示す。ヘルパーは、ＰＨＳ携帯端末１３の所定のボタンを押し、携帯端末１３に患者１８の移動経路を要求することで、徘徊する患者１８の移動経路を知ることができる。
【００８７】
ＰＨＳ携帯端末１３は、特定したエンドデバイス１１の位置を時系列につなげることで、認知症患者１８の時系列的な移動経路を推定する（移動経路推定手段）。たとえば、図１４においてエンドデバイス１１の位置を算出した地点どうしを順につなげ、図１８に示す移動経路を推定する。なお、エンドデバイス１１の位置を算出した地点は、デバイス１１が電波を発信した地点である。ＰＨＳ携帯端末１３は、推定した移動経路データをメモリに記憶する（移動経路データ記憶手段）。ＰＨＳ携帯端末１３のディスプレイ４３には、区域の地図座標が表示されるとともに、患者１８の移動経路が表示される。携帯端末１３では、患者１８のＩＤ番号を参照することによって、移動経路データとすでにメモリに記憶した患者データとの関連付けを行う。
【００８８】
ヘルパーは、移動経路データの送信の有無（する，しない）を選択する。送信有（する）を選択する場合は、ディスプレイ４３の（する）を押すか、または、携帯端末１３の数字番号（１）を押す。送信有（する）が選択されると、患者１８のＩＤ番号と移動経路データとがＰＨＳ携帯端末１３からＰＨＳ携帯端末１４，１５に送信される（移動経路データ送信手段）。ＰＨＳ携帯端末１４，１５は、携帯端末１３から送信された患者１８のＩＤ番号と移動経路データとを受信し（移動経路データ受信手段）、受信した移動経路データを患者１８のＩＤ番号とともにメモリに記憶する（移動経路データ記憶手段）。携帯端末１４，１５では、患者１８のＩＤ番号を参照することによって、移動経路データとすでにメモリに記憶した患者データとの関連付けを行う。
【００８９】
ヘルパーは、ＰＨＳ携帯端末１３に患者１８の現在の位置を特定させ、患者１８の現在の移動経路を推定させた後、携帯端末１３の所定のボタンを押すことで、推定させた現在の移動経路とメモリに記憶された過去の移動経路との比較を携帯端末１３に要求することができる。ＰＨＳ携帯端末１３は、図１９に示す患者１８の現在の位置を特定し、特定した位置を時系列的につなげることで、図２０に示す患者１８の現在の移動経路を推定した後、図２０の移動経路とメモリに記憶された図１８の移動経路とを比較し（移動経路比較手段）、図２１に示すように、各移動経路を一纏めにした移動経路をディスプレイ４３に表示するとともに、各電波発信地点における距離の差ＬＳを算出する（距離差算出手段）。ＰＨＳ携帯端末１３は、各移動経路を一纏めにしてそれら移動経路を比較した移動経路比較データをメモリに記憶し（比較データ記憶手段）、各電波発信地点における距離差データをメモリに記憶する（距離差データ記憶手段）。携帯端末１３では、患者１８のＩＤ番号を参照することによって、比較データとすでにメモリに記憶した患者データとの関連付けを行うとともに、患者データと距離差データとの関連付けを行う。移動経路の距離の差ＬＳは、図２１に示すように、各電波発信地点におけるそれら発信地点どうしの距離の差として表されている。なお、図１８および図１９におけるエンドデバイス１１の電波の発信間隔は同一である。
【００９０】
ヘルパーは、移動経路比較データと距離差データとの送信の有無（する，しない）を選択する。送信有（する）を選択する場合は、ディスプレイ４３の（する）を押すか、または、携帯端末１３の数字番号（１）を押す。送信有（する）が選択されると、患者１８のＩＤ番号と移動経路比較データと距離差データとがＰＨＳ携帯端末１３からＰＨＳ携帯端末１４，１５に送信される（比較データ送信手段）（距離差データ送信手段）。ＰＨＳ携帯端末１４，１５は、携帯端末１３から送信された患者１８のＩＤ番号と移動経路比較データと距離差データとを受信し（比較データ受信手段）（距離差データ受信手段）、受信した移動経路比較データと距離差データとを患者１８のＩＤ番号とともにメモリに記憶する（比較データ記憶手段）（距離差データ記憶手段）。携帯端末１４，１５では、患者１８のＩＤ番号を参照することによって、比較データとすでにメモリに記憶した患者データとの関連付けを行うとともに、距離差データと患者データとの関連付けを行う。
【００９１】
図２２は、ＰＨＳ携帯端末１３，１４，１５のメモリ（記憶部）に記憶された過去から現在までのいずれかの時点における位置データ、移動経路データ、比較データ、距離差データを検索する検索画面の一例を示す図である。ＰＨＳ携帯端末１３，１４，１５からそれらデータを検索する場合、ヘルパーや医師、製薬会社の担当者は、データの検索の有（する）を選択する。検索有（する）を押すと、患者１８を特定するＩＤ番号の入力エリアが表示される（図示せず）。ＩＤ番号の入力エリアに患者１８のＩＤ番号を入力すると、ＰＨＳ携帯端末１３，１４，１５のディスプレイ４３（表示部）には、図２２に示すように、その患者１８に関するデータの検索画面が表示される。ディスプレイ４３には、日付（年月日）入力エリアと患者氏名とが表示されるとともに、各データの選択エリアが表示される。過去の位置データを検索する場合は、日付入力エリアに検索する日付を入力した後、ディスプレイ４３の位置データ検索を押すか、または、携帯端末１３，１４，１５の数字番号（１）を押す。位置データを選択した場合、ディスプレイ４３には、指定された日付における位置データが表示される（過去分患者データ表示手段）（図示せず）。
【００９２】
携帯端末１３，１４，１５において過去から現在までのいずれかの時点における移動経路データを検索する場合は、日付入力エリアに検索する日付を入力した後、ディスプレイ４３の移動経路データ検索を押すか、または、携帯端末１３，１４，１５の数字番号（２）を押す。移動経路データを選択した場合、ディスプレイ４３には、指定された日付における移動経路データが表示される（過去分移動経路データ表示手段）（図示せず）。携帯端末１３，１４，１５において過去から現在までのいずれかの時点における比較データを検索する場合は、日付入力エリアに検索する日付を入力した後、ディスプレイ４３の比較データ検索を押すか、または、携帯端末１３，１４，１５の数字番号（３）を押す。比較データを選択した場合、ディスプレイ４３には、指定された日付における比較データが表示される（過去分比較データ表示手段）（図示せず）。携帯端末１３，１４，１５において過去から現在までのいずれかの時点における距離差データを検索する場合は、日付入力エリアに検索する日付を入力した後、ディスプレイ４３の距離差データ検索を押すか、または、携帯端末１３，１４，１５の数字番号（４）を押す。距離差データを選択した場合、ディスプレイ４３には、指定された日付における距離差データが表示される（過去分距離差データ表示手段）（図示せず）。
【００９３】
ＰＨＳ携帯端末１３は、メモリに記憶した日常生活データや排便データをそれらデータの記憶時から所定時間経過後にメモリから消去する（日常生活データ消去手段）（排便データ消去手段）。さらに、メモリに記憶した位置データや移動経路データ、比較データ、距離差データをそれらデータの記憶時から所定期間経過後にメモリから消去する（位置データ消去手段）（移動経路データ消去手段）（比較データ消去手段）（距離差データ消去手段）。データの消去時間は、時間単位、日単位、週単位、月単位で設定することができる。ＰＨＳ携帯端末１３は、データを消去する際にＰＨＳ携帯端末１４，１５に未送信のデータが含まれる場合、未送信のデータをＰＨＳ携帯端末１４，１５へ強制的に送信した後、そのデータの消去を行う。したがって、ＰＨＳ携帯端末１３に記憶されたすべてのデータがＰＨＳ携帯端末１４，１５に転送される。この観察システム１０では、ＰＨＳ携帯端末１３がメモリに記憶した日常生活データや排便データをそれらデータの記憶時から所定時間経過後にメモリから消去するから、携帯端末１３におけるメモリの記憶容量を確保することができ、メモリの記憶容量のオーバーフローを防ぐことができる。
【００９４】
医師や製薬会社の担当者が所持するＰＨＳ携帯端末１４，１５は、ヘルパーが所持するＰＨＳ携帯端末１３から送信された各種データを管理コンピュータ１６，１７に転送する。管理コンピュータ１６，１７は、転送された各種データをメモリに記憶する。ＰＨＳ携帯端末１４，１５は、日常生活データや排便データをそれらデータの記憶時から所定時間経過後にメモリから消去する（日常生活データ消去手段）（排便データ消去手段）。さらに、メモリに記憶した位置データや移動経路データ、比較データ、距離差データをそれらデータの記憶時から所定期間経過後にメモリから消去する（位置データ消去手段）（移動経路データ消去手段）（比較データ消去手段）（距離差データ消去手段）。データの消去時間は、時間単位、日単位、週単位、月単位で設定することができる。この観察システム１０では、ＰＨＳ携帯端末１４，１５がメモリに記憶した日常生活データや排便データをそれらデータの記憶時から所定時間経過後にメモリから消去するから、携帯端末１４，１５におけるメモリの記憶容量を確保することができ、メモリの記憶容量のオーバーフローを防ぐことができる。
【００９５】
図２３は、携帯端末１３からデータを強制的に閲覧する場合の要求画面であり、図２４は、携帯端末１３にデータを強制的に転送させる場合の要求画面である。医師や製薬会社の担当者は、所持するＰＨＳ携帯端末１４，１５によってヘルパーが所持するＰＨＳ携帯端末１３に記憶された各種データを何時でも閲覧し、各種データを何時でも転送させることができる。閲覧可能かつ転送可能なデータには、患者データ、日常生活データ、排便データ、移動経路データ、位置データ、比較対象の各移動経路を一纏めにして比較した比較データ、各電波発信地点における距離差データがある。医師や製薬会社の担当者がＰＨＳ携帯端末１４，１５の所定のボタンを押すと、患者１８のＩＤ番号入力エリアとデータ閲覧選択エリアとデータ転送選択エリアとが携帯端末１４，１５のディスプレイ４３に表示される（図示せず）。ＩＤ番号入力エリアに患者１８のＩＤ番号を入力し、データ閲覧を選択すると、ＰＨＳ携帯端末１４，１５のディスプレイ４３（表示部）には、図２３に示すように、日付（年月日）の入力エリアと患者氏名とが表示されるとともに、閲覧するデータの選択画面が表示される。医師や製薬会社の担当者が日付を入力するとともに閲覧を希望するデータを選択すると、携帯端末１４，１５から携帯端末１３に指定したデータの表示指令が送信される。携帯端末１３は、携帯端末１４，１５からの指令にしたがって、メモリから指定された日付におけるデータを取り出し、そのデータを携帯端末１３に送信する。携帯端末１４，１５のディスプレイには、指定した日付の指定したデータ（患者１８の氏名や日付を含む）が表示される（強制閲覧手段）。
【００９６】
携帯端末１３のメモリに記憶された過去から現在までの位置データを閲覧する場合は、日付入力エリアに閲覧する日付を入力した後、ディスプレイ４３の位置データ閲覧を押すか、または、携帯端末１４，１５の数字番号（１）を押す。位置データを選択した場合、ディスプレイ４３には、指定された日付における位置データが表示される（図示せず）。携帯端末１３のメモリに記憶された過去から現在までの移動経路データを閲覧する場合は、日付入力エリアに閲覧する日付を入力した後、ディスプレイ４３の移動経路データ閲覧を押すか、または、携帯端末１４，１５の数字番号（２）を押す。移動経路データを選択した場合、ディスプレイ４３には、指定された日付における移動経路データが表示される（図示せず）。携帯端末１３のメモリに記憶された過去から現在までの比較データを閲覧する場合は、日付入力エリアに閲覧する日付を入力した後、ディスプレイ４３の比較データ閲覧を押すか、または、携帯端末１４，１５の数字番号（３）を押す。比較データを選択した場合、ディスプレイ４３には、指定された日付における比較データが表示される（図示せず）。携帯端末１３のメモリに記憶された過去から現在までの距離差データを閲覧する場合は、日付入力エリアに閲覧する日付を入力した後、ディスプレイ４３の距離差データ閲覧を押すか、または、携帯端末１４，１５の数字番号（４）を押す。距離差データを選択した場合、ディスプレイ４３には、指定された日付における距離差データが表示される（図示せず）。
【００９７】
現在位置データを閲覧する場合は、日付入力エリアに当日の日付を入力した後、ディスプレイ４３の現在位置データ閲覧を押すか、または、携帯端末１４，１５の数字番号（５）を押す。医師や製薬会社の担当者が認知症患者の現在位置閲覧を選択すると、携帯端末１４，１５から携帯端末１３に現在位置データの表示指令が送信される。携帯端末１３が患者１８の現在位置を特定中の場合は、携帯端末１３が特定した患者１８の現在位置データが携帯端末１４，１５に送信され、区域の地図座標が表示されるとともに患者１８の現在位置が携帯端末１４，１５のディスプレイに表示される（強制閲覧手段）。携帯端末１３が患者１８の現在位置の特定を中止している場合は、携帯端末１４，１５からの位置特定指令によって、携帯端末１３が患者１８の位置を特定するとともに、携帯端末１３が特定した患者１８の現在位置データが携帯端末１４，１５に送信され、区域の地図座標が表示されるとともに患者１８の現在位置が携帯端末１４，１５のディスプレイに表示される（強制閲覧手段）。
【００９８】
医師や製薬会社の担当者がディスプレイ４３のＩＤ番号入力エリアに患者１８のＩＤ番号を入力し、データ転送を選択すると、図２４に示すように、日付（年月日）の入力エリア、転送希望のデータの選択画面が表示される。医師や製薬会社の担当者が日付を入力するとともに転送を希望するデータを選択すると、携帯端末１４，１５から携帯端末１３に指定したデータの転送指令が送信される。携帯端末１３は、携帯端末１４，１５からの指令にしたがって、メモリから指定された日付におけるデータを取り出し、そのデータを携帯端末１３に送信する（強制転送手段）。携帯端末１４，１５は、携帯端末１３から送信された各種データをメモリに記憶する。医師や製薬会社の担当者は、強制転送手段によって送信された各種データを携帯端末１４，１５のディスプレイに表示させ、そのデータを確認することができる。医師や製薬会社の担当者は、ＰＨＳ携帯端末１４，１５を介して強制転送されたデータを管理コンピュータ１６，１７に送信する。
【００９９】
携帯端末１３のメモリに記憶された過去から現在までの位置データを転送させる場合は、日付入力エリアに日付を入力した後、ディスプレイ４３の位置データ転送を押すか、または、携帯端末１４，１５の数字番号（１）を押す。位置データを選択した場合、指定された日付における位置データが携帯端末１３から携帯端末１４，１５に送信される。携帯端末１３のメモリに記憶された過去から現在までの移動経路データを転送させる場合は、日付入力エリアに日付を入力した後、ディスプレイ４３の移動経路データ転送を押すか、または、携帯端末１４，１５の数字番号（２）を押す。移動経路データを選択した場合、ディスプレイ４３には、指定された日付における移動経路データが表示される（図示せず）。携帯端末１３のメモリに記憶された過去から現在までの比較データを閲覧する場合は、日付入力エリアに日付を入力した後、ディスプレイ４３の比較データ閲覧を押すか、または、携帯端末１４，１５の数字番号（３）を押す。比較データを選択した場合、ディスプレイ４３には、指定された日付における比較データが表示される（図示せず）。携帯端末１３のメモリに記憶された過去から現在までの距離差データを閲覧する場合は、日付入力エリアに日付を入力した後、ディスプレイ４３の距離差データ閲覧を押すか、または、携帯端末１４，１５の数字番号（４）を押す。距離差データを選択した場合、ディスプレイ４３には、指定された日付における距離差データが表示される（図示せず）。
【０１００】
現在位置データを転送させる場合は、ディスプレイ４３の現在位置データ転送を押すか、または、携帯端末１４，１５の数字番号（５）を押す。医師や製薬会社の担当者が認知症患者の現在位置転送を選択すると、携帯端末１４，１５から携帯端末１３に現在位置データの転送指令が送信される。携帯端末１３が患者１８の現在位置を特定中の場合は、携帯端末１３が特定した患者１８の現在位置データが携帯端末１４，１５に送信され、区域の地図座標とともに現在位置データが携帯端末１４，１５のメモリに記憶される（強制転送手段）。携帯端末１３が患者１８の現在位置の特定を中止している場合は、携帯端末１４，１５からの位置特定指令によって、携帯端末１３が患者１８の位置を特定するとともに、携帯端末１３が特定した患者１８の現在位置データが携帯端末１４，１５に送信され、区域の地図座標とともに現在位置データが携帯端末１４，１５のメモリに記憶される（強制転送手段）。
【０１０１】
観察システム１０は、医師がＰＨＳ携帯端末１４によって認知症患者１８の患者データや日常生活データ、排便データ、移動経路データ、位置データ、比較データ、距離差データを何時でも閲覧することができるから、ヘルパーが所持するＰＨＳ携帯端末１３から患者１８のそれらデータが送信されなくても、医師が患者１８の日常生活状況や排便状態、患者の徘徊に関する情報を把握することができる。観察システム１０は、医師がＰＨＳ携帯端末１４によって認知症患者１８の過去の患者データや日常生活データ、排便データ、排便データ、移動経路データ、位置データ、比較データ、距離差データを何時でも閲覧することができるから、過去のデータと現在のデータとを比較することで、患者１８の症状の時系列的な進行状況や治癒状況を確実に把握することができる。観察システム１０は、製薬会社の担当者がＰＨＳ携帯端末１５によって認知症患者１８の過去から現在までの患者データや日常生活データ、排便データ、排便データ、移動経路データ、位置データ、比較データ、距離差データを何時でも閲覧することができるから、製薬会社に認知症のあらたな薬品開発の有益な資料を何時でも提供することができる。
【０１０２】
観察システム１０は、医師が認知症患者１８の患者データや日常生活データ、排便データ、排便データ、移動経路データ、位置データ、比較データ、距離差データをＰＨＳ携帯端末１３からＰＨＳ携帯端末１４に何時でも転送させることができるから、携帯端末１３から患者１８のそれらデータが送信されなくても、医師が患者１８の日常生活状況や排便状態を把握することができる。観察システム１０は、医師が認知症患者１８の過去の患者データや日常生活データ、排便データ、排便データ、移動経路データ、位置データ、比較データ、距離差データをＰＨＳ携帯端末１３からＰＨＳ携帯端末１４に何時でも転送させることができるから、過去のデータと現在のデータとを比較することで、患者１８の症状の時系列的な進行状況や治癒状況を確実に把握することができる。観察システム１０は、製薬会社の担当者が認知症患者１８の過去から現在までの患者データや日常生活データ、排便データ、排便データ、移動経路データ、位置データ、比較データ、距離差データをＰＨＳ携帯端末１３からＰＨＳ携帯端末１５に何時でも転送させることができるから、製薬会社に認知症のあらたな薬品開発の有益な資料を何時でも提供することができる。
【０１０３】
観察システム１０は、認知症患者の現在位置を携帯端末１４，１５に強制的に表示させることができるとともに、患者の現在位置を携帯端末１３から携帯端末１４，１５に強制的に転送させることができるから、ヘルパーの他に、医師や製薬会社の担当者が患者の現在位置を確認することができ、医師や製薬会社の担当者が患者の行動を一層詳細に把握することができる。
【０１０４】
管理コンピュータ１６，１７は、ＰＨＳ携帯端末１４，１５から送信された各種データをメモリに記憶する。管理コンピュータ１６，１７は、患者１８の移動経路や移動経路の距離の差ＬＳをディスプレイに表示し、プリンタを介してプリントする。管理コンピュータ１６，１７は、患者データを一纏めにした患者データ一覧表、各患者毎の日常生活データを時系列的に一纏めにした日常生活データ一覧表、各患者毎の排便データを時系列的に一纏めにした排便データ一覧表を作成し、それら一覧表をディスプレイに表示し、プリンタを介してプリントする。
【０１０５】
観察システム１０は、ＰＨＳ携帯端末１３が各アクセスポイント１２から受信した受信電力に基づいてエンドデバイス１１とそれらアクセスポイント１２との距離を測定し、測定した距離からエンドデバイス１１の座標上の位置を算出することで、認知症患者１８の位置を特定するから、位置の特定精度を一定に保持することができ、患者１８の位置を正確に特定することができる。観察システム１０は、ヘルパーが目を離した隙に認知症患者１８の所在が不明になったとしても、ＰＨＳ携帯端末１３によって患者１８の現在位置を確認することができるから、所在不明になった患者１８をヘルパーが容易に保護することができる。
【０１０６】
観察システム１０は、ＰＨＳ携帯端末１３が位置特定手段を介して特定した認知症患者１８の位置を時系列につなげることで、患者１８の時系列的な移動経路を推定することができるから、徘徊する認知症患者１８が辿った移動経路を特定することができ、患者１８の行動パターンを分析することで、患者１８の移動経路や所在をあらかじめ予測することができる。観察システム１０は、ＰＨＳ携帯端末１３によって予測した認知症患者１８の所在地に向かうことで、ヘルパーが患者１８を確実に保護することができる。観察システム１０は、ＰＨＳ携帯端末１３が移動経路どうしを比較し、それら移動経路どうしの距離の差ＬＳを算出することができるから、認知症患者１８の先の移動経路と後の移動経路とを比較することで、患者の症状の進行状況を分析することができ、患者の治療の参考にすることができる。この観察システム１０は、先の移動経路と後の移動経路との相違を判断することができ、それら移動経路が大きく異なる場合、認知症患者１８を常時監視することできる環境に置き、患者１８の行動を規制することで、患者１８が所在不明になる事態を事前に防ぐことができる。
【０１０７】
位置特定手段において、算出したエンドデバイス１１と各アクセスポイント１２との距離を半径とするとともに該アクセスポイント１２を中心とする円を画き、それら円の円周どうしが交わる点をエンドデバイス１１の位置とする観察システム１０は、少なくとも３つの円の円周どうしの交点をエンドデバイス１１の位置とするから、交点の時系列的な移動を捉えることで、認知症患者１８の時系列的な動きを連続的に捕捉することができる。観察システム１０は、アクセスポイント１２の座標上の位置が不明でも、エンドデバイス１１の時系列的な位置を測定することができ、認知症患者１８の現在位置を確実に特定することができる。
【０１０８】
エンドデバイス１１を認知症患者１８に所持させると、患者１８がそれを遺棄する可能性があり、エンドデバイス１１を患者１８が遺棄すると、患者１８の所在を特定することができなくなる。しかし、この観察システム１０では、エンドデバイス１１を形成するシート１９の粘着面２２を認知症患者１８の身体に貼付することで、患者１８にエンドデバイス１１の存在を気づかせることなく、患者１８がエンドデバイス１１を遺棄することによる患者１８の所在の特定不能を防ぐことができる。観察システム１０は、エンドデバイス１１の認知症患者１８からの脱落を防ぐことができるから、エンドデバイス１１が患者１８から脱落することによる患者１８の所在の特定不能を防ぐことができる。
【０１０９】
観察システム１０は、無線ＬＡＮジグビーを利用することで１つのアクセスポイント１２が複数のエンドデバイス１１と通信することができるから、複数の患者の位置を特定することができ、複数の患者の移動経路を推定することができる。観察システム１０は、エンドデバイス１１のジグビーチップ２０とジグビーアダプタ３４のジグビーチップ３５との通信時における消費電力やＰＨＳ携帯端末１３のジグビーチップとエンドデバイス１１のジグビーチップ２０との通信時における消費電力が６０ｍＷ以下であるから、エンドデバイス１１やアダプタ３４の長期間の使用が可能であり、充電間隔や電池交換間隔を大幅に延長することができるとともに、バッテリー切れによる患者１８の所在の不特定を防ぐことができる。
【０１１０】
なお、この認知症患者観察システム１０では、認知症患者１８に関する各種データを医師が所持する携帯端末１４と製薬会社の担当者が所持する携帯端末１５とのいずれか一方へのみ送信することもできる。また、観察システム１０では、近距離無線通信規格として無線ＬＡＮジグビーを利用しているが、ジグビーの他に、Bluetooth（ブルートゥース）を利用することもできる。
【図面の簡単な説明】
【０１１１】
【図１】一例として示す観察システムの概略構成図。
【図２】エンドデバイスの平面図。
【図３】一例として示すエンドデバイスの概略構成図。
【図４】図２の１−１線端面図。
【図５】図２の２−２線端面図。
【図６】認知症患者を背面から示す図。
【図７】一例として示すジグビーアダプタの概略構成図。
【図８】ＰＨＳ携帯端末のディスプレイに表示された患者データ入力画面の一例を示す図。
【図９】ＰＨＳ携帯端末のディスプレイに表示された日常生活データ入力画面の一例を示す図。
【図１０】ＰＨＳ携帯端末のディスプレイに表示された日常生活データ入力画面の一例を示す図。
【図１１】ＰＨＳ携帯端末のディスプレイに表示された日常生活データ入力画面の一例を示す図。
【図１２】ＰＨＳ携帯端末のディスプレイに表示された日常生活データ入力画面の一例を示す図。
【図１３】携帯端末のメモリに記憶された過去のデータを検索する検索画面の一例を示す図。
【図１４】認知症患者の徘徊の一例を示す図。
【図１５】一例として示す受信電力の減衰曲線図。
【図１６】認知症患者の位置特定の一例を説明する図。
【図１７】認知症患者の位置特定の他の一例を説明する図。
【図１８】患者の移動経路の一例を示す図。
【図１９】認知症患者の徘徊の他の一例を示す図。
【図２０】患者の移動経路の他の一例を示す図。
【図２１】移動経路の距離差を示す図。
【図２２】携帯端末のメモリに記憶された過去のデータを検索する検索画面の一例を示す図。
【図２３】データを強制的に閲覧する場合の要求画面。
【図２４】データを強制的に転送させる場合の要求画面。
【符号の説明】
【０１１２】
１０    認知症患者観察システム
１１    エンドデバイス
１２    アクセスポイント
１３    ＰＨＳ携帯端末（携帯端末）
１４    ＰＨＳ携帯端末
１５    ＰＨＳ携帯端末
１８    認知症患者
１９    シート
２０    ジグビーチップ（無線通信チップ）
２１    粘着剤
２２    粘着面
２３    非粘着面
２４    摘み部分
２５    剥離紙
３４    ジグビーアダプタ
３５    ジグビーチップ
【図１】
2008113720.tif 000004
【図２】
2008113720.tif 000005
【図３】
2008113720.tif 000006
【図４】
2008113720.tif 000007
【図５】
2008113720.tif 000008
【図６】
2008113720.tif 000009
【図７】
2008113720.tif 000010
【図８】
2008113720.tif 000011
【図９】
2008113720.tif 000012
【図１０】
2008113720.tif 000013
【図１１】
2008113720.tif 000014
【図１２】
2008113720.tif 000015
【図１３】
2008113720.tif 000016
【図１４】
2008113720.tif 000017
【図１５】
2008113720.tif 000018
【図１６】
2008113720.tif 000019
【図１７】
2008113720.tif 000020
【図１８】
2008113720.tif 000021
【図１９】
2008113720.tif 000022
【図２０】
2008113720.tif 000023
【図２１】
2008113720.tif 000024
【図２２】
2008113720.tif 000025
【図２３】
2008113720.tif 000026
【図２４】
2008113720.tif 000027